(57)【要約】【課題】内蔵電池を無接点で充電して、携帯電子機器に接続してこれらを充電する。【解決手段】バッテリパックは、受電コイル５と内蔵電池１と出力コネクタ８と充電回路５０を実装する回路基板４とケーシング２とを備える。ケーシング２は、平面状の底プレート２２と、この底プレート２２から離れて対向する上面プレート２１と、周壁２３とで閉鎖構造の収納スペース２５を内部に設けて、この収納スペース２５に内蔵電池１と受電コイル５と回路基板４とを配置している。内蔵電池１は円筒形電池１Ａで、底プレート２２と平行な姿勢で側壁２３Ａの内側に配置し、受電コイル５は平面コイルで、底プレート２２の内面であって収納スペース２５の底部に配設している。バッテリパックは、回路基板４を上面プレート２１の内面に受電コイル５から離して配設して、回路基板４と受電コイル５と内蔵電池１とで囲まれる領域に放熱スペース２６を設けている。【選択図】図７
2012221854.tif 000002
【特許請求の範囲】
【請求項１】
電磁誘導作用で電力を搬送して充電する送電コイルを有する充電台に載せられて、送電コイルから電力を受け取る受電コイルと、この受電コイルに誘導される電力で充電される内蔵電池と、この内蔵電池の出力を外部に出力する電源用の出力コネクタと、前記受電コイルに誘導される電力で内蔵電池を充電する充電回路を実装する回路基板と、この回路基板と前記受電コイルと前記内蔵電池とを内蔵するケーシングとを備える出力コネクタを備えるバッテリパックであって、
前記ケーシングは、充電台に載せられる平面状の底プレートと、この底プレートから離して対向する姿勢に配置している上面プレートと、底プレート及び上面プレート両側縁の側壁と両端縁の端面壁とからなる周壁を有し、底プレートと上面プレートと周壁とで閉鎖構造の放熱スペースを内部に設けて、この放熱スペースに前記内蔵電池と前記受電コイルと前記回路基板とを配置しており、
前記内蔵電池は円筒形電池で、この円筒形電池が前記放熱スペースに、底プレートと平行な姿勢であって前記側壁の内側に配置され、
さらに前記受電コイルは平面コイルであって、前記底プレートの内面であって放熱スペースの底部に配設され、
さらに、前記回路基板が、上面プレートの内面に前記受電コイルから離して配設されて、前記回路基板と前記受電コイルと内蔵電池とで囲まれる領域に放熱スペースを設けてなることを特徴とする出力コネクタを備えるバッテリパック。
【請求項２】
前記受電コイルと円筒形電池との間にクッション材を配置してなる請求項１に記載される出力コネクタを備えるバッテリパック。
【請求項３】
前記回路基板が、前記内蔵電池である円筒形電池の最高位置の接線位置よりも下方に配置されてなる請求項１又は２に記載される出力コネクタを備えるバッテリパック。
【請求項４】
平面コイルである前記受電コイルが、内蔵電池である円筒形電池の最低位置の接線位置よりも外側に配設されてなる請求項１ないし３のいずれかに記載される出力コネクタを備えるバッテリパック。
【請求項５】
前記ケーシングの放熱スペースの両側に一対の内蔵電池を配置して、一対の内蔵電池の間に放熱スペースを設けてなる請求項１ないし４のいずれかに記載される出力コネクタを備えるバッテリパック。
【請求項６】
前記ケーシングの放熱スペースの両側に一対の内蔵電池を配置して、一対の内蔵電池の最低位置となる頂部の間に前記受電コイルを配置している請求項１ないし５のいずれかに記載される出力コネクタを備えるバッテリパック。
【請求項７】
前記ケーシングの放熱スペースの片側に１本の内蔵電池を配置して、内蔵電池の側部に放熱スペースを設けてなる請求項１ないし４のいずれかに記載される出力コネクタを備えるバッテリパック。
【請求項８】
前記回路基板の上面に押しボタンスイッチを固定しており、前記ケーシングの上面プレートは、押しボタンスイッチの上方に、押しボタンスイッチをオンオフに切り換える操作部を設けている請求項１ないし７のいずれかに記載される出力コネクタを備えるバッテリパック。
【発明の詳細な説明】
【技術分野】
【０００１】
本発明は、充電できる内蔵電池と、この内蔵電池を磁気誘導作用で充電する充電機能とを備え、さらに外部に接続される電子機器に電力を供給する出力コネクタを備える携帯式の電源に最適なバッテリパックに関する。
【背景技術】
【０００２】
電磁誘導の作用で送電コイルから受電コイルに電力を搬送して、内蔵する電池を充電するバッテリパックとこのバッテリパックを充電する充電台は開発されている。（特許文献１）
【０００３】
特許文献１に記載される充電装置は、充電台に、交流電源で励磁される送電コイルを内蔵し、バッテリパックには送電コイルに電磁結合される受電コイルを内蔵している。バッテリパックは、受電コイルに誘導される交流を整流し、これを電池に供給して充電する回路も内蔵している。この構造によると、充電台の上にバッテリパックを載せて、無接点でバッテリパックの電池を充電できる。
【先行技術文献】
【特許文献】
【０００４】
【特許文献１】特開２０１０−９８８６１号公報
【発明の概要】
【発明が解決しようとする課題】
【０００５】
磁気誘導の作用を利用して無接点で二次電池を充電する充電システムは、接点を接続することなく充電台に載せて便利に充電できる。また、接点の規格を一致させることなく、無接点で電力搬送して二次電池を充電できることから、不特定多数のユーザーに使用される、コインを投入して所定の時間充電できるコイン充電器などに特に便利に使用できる。
【０００６】
図１は、特許文献１のバッテリパック２００を充電台２９０にセットした状態を示す断面図である。このバッテリパック２００は、ケーシング２０２の底に受電コイル２０５を配置して、この受電コイル２０５の上に角形の内蔵電池２０１を積層するように内蔵している。このバッテリパック２００は、充電されるにしたがって温度が高くなる内蔵電池２０１が、受電コイル２０５の発熱や回路基板の発熱でさらに加温されて温度上昇する欠点がある。内蔵電池２０１の発熱を少なくするために、充電電流を小さく設定すると充電に時間がかかって速やかに充電できなくなる。
【０００７】
本発明は、さらにこのような欠点を解決することを目的に開発されたものである。本発明の重要な目的は、携帯電話などの携帯電子機器に接続してこれらを充電するのに使用でき、かつ内蔵電池を磁気誘導作用で電力搬送することで無接点で充電して、接触不良を皆無にしながら確実に充電でき、さらに、充電される二次電池の温度上昇を少なくしながら速やかに充電できる、出力コネクタを備えるバッテリパックを提供することにある。
【課題を解決するための手段及び発明の効果】
【０００８】
本発明の出力コネクタを備えるバッテリパックは、電磁誘導作用で電力を搬送して充電する送電コイル１０５を有する充電台１１０に載せられて、送電コイル１０５から電力を受け取る受電コイル５と、この受電コイル５に誘導される電力で充電される内蔵電池１と、この内蔵電池１の出力を外部に出力する電源用の出力コネクタ８と、受電コイル５に誘導される電力で内蔵電池１を充電する充電回路５０を実装する回路基板４と、この回路基板４と受電コイル５と内蔵電池１とを内蔵するケーシング２、６２とを備えている。ケーシング２、６２は、充電台１１０に載せられる平面状の底プレート２２、８２と、この底プレート２２、８２から離して対向する姿勢に配置している上面プレート２１、８１と、底プレート２２、８２及び上面プレート２１、８１の両側縁の側壁２３Ａ、８３Ａと両端縁の対向壁２３Ｂ、８３Ｂとからなる周壁２３、８３を有し、底プレート２２、８２と上面プレート２１、８１と周壁２３、８３とで閉鎖構造の収納スペース２５、８５を内部に設けて、この収納スペース２５、８５に内蔵電池１と受電コイル５と回路基板４とを配置している。内蔵電池１は円筒形電池１Ａで、この円筒形電池１Ａを収納スペース２５、８５に、底プレート２２、８２と平行な姿勢であって側壁２３Ａ、８３Ａの内側に配置している。受電コイル５は平面コイルで、底プレート２２、８２の内面であって収納スペース２５、８５の底部に配設している。バッテリパックは、回路基板４を上面プレート２１、８１の内面に受電コイル５から離して配設して、回路基板４と受電コイル５と内蔵電池１とで囲まれる領域に放熱スペース２６、８６を設けている。
【０００９】
以上のバッテリパックは、出力コネクタに携帯電話などの携帯電子機器を接続してこれらを充電できる。また、内蔵電池を磁気誘導作用で電力搬送することで無接点で充電して、接触不良を皆無にしながら確実に充電できる。それは、内蔵している受電コイルを充電台の送電コイルに電磁結合して電力搬送して、内蔵電池を充電するからである。さらに、以上のバッテリパックは、充電される二次電池の温度上昇を少なくしながら、速やかに充電できる特徴がある。それは、内蔵電池を円筒形電池とし、この円筒形電池を底プレートと平行な姿勢としてケーシングの周壁内側に配置して収納スペースに配置し、さらに、平面コイルの受電コイルを底プレート内面の収納スペースの底部に配設し、さらにまた、回路基板を上面プレートの内面に受電コイルから離して配設して、回路基板と受電コイルと内蔵電池とで囲まれる領域に放熱スペースを設けているからである。この構造のバッテリパックは、受電コイルや回路基板の発熱を放熱スペースに放熱でき、また、円筒形電池の内蔵電池と受電コイルとの熱結合を少なくして、受電コイルや回路基板の発熱による内蔵電池の温度上昇を有効に防止できる。内蔵電池の温度上昇を少なくできることは、内蔵電池の温度による劣化を少なくし、さらに、これをより大きな電流で急速充電して、より短時間で速やかに満充電できる特徴も実現する。
【００１０】
本発明の出力コネクタを備えるバッテリパックは、受電コイル５と円筒形電池１Ａとの間にクッション材７を配置することができる。
以上のバッテリパックは、クッション材でもって受電コイルを底プレートの内面に密着できる。このため、バッテリパックを充電台にセットする状態で、受電コイルを送電コイルにより接近させて、効率よく内蔵電池を充電できる。また、クッション材は、受電コイルと内蔵電池との熱伝導を遮断するので、発熱する受電コイルによる内蔵電池の温度上昇を理想的な状態で遮断できる特徴も実現する。
【００１１】
本発明の出力コネクタを備えるバッテリパックは、回路基板４を、内蔵電池１である円筒形電池１Ａの最高位置の接線位置よりも下方に配置することができる。
以上のバッテリパックは、回路基板の上面に押しボタンスイッチや電子部品などを実装して、ケーシングの収納スペースに配置できる。
【００１２】
本発明の出力コネクタを備えるバッテリパックは、平面コイルである受電コイル５を、内蔵電池１である円筒形電池１Ａの最低位置の接線位置よりも外側に配設することができる。
以上のバッテリパックは、内蔵電池である円筒形電池から受電コイルを離して配置して、受電コイルによる内蔵電池の温度上昇をより少なくできる。
【００１３】
本発明の出力コネクタを備えるバッテリパックは、ケーシング２の収納スペース２５の両側に一対の内蔵電池１を配置して、一対の内蔵電池１の間に放熱スペース２６を設けることができる。
以上のバッテリパックは、２本の内蔵電池の間に放熱スペースを設けるので、２本の内蔵電池で容量を大きくしながら、ケーシングの外形を小さくできる。
【００１４】
本発明の出力コネクタを備えるバッテリパックは、ケーシング２の収納スペース２５の両側に一対の内蔵電池１を配置して、一対の内蔵電池１の最低位置となる頂部の間に受電コイル５を配置することができる。
以上のバッテリパックは、２本の内蔵電池の頂部の間に受電コイルを配置するので、ケーシングの厚さを大きくすることなく、収納スペースの底部に受電コイルトを収納できる。
【００１５】
本発明の出力コネクタを備えるバッテリパックは、ケーシング６２の収納スペース８５の片側に１本の内蔵電池１を配置して、内蔵電池１の側部に放熱スペース８６を設けることができる。
以上のバッテリパックは、受電コイルと回路基板と内蔵電池と片側の側壁とで囲まれる領域を放熱スペースとするので、放熱スペースをより効率よく放熱できる。それは、放熱スペースの一部に側壁が位置して、放熱スペース内の熱を側壁から外部に放熱できるからである。
【００１６】
本発明の出力コネクタを備えるバッテリパックは、回路基板４の上面に押しボタンスイッチ１６を固定して、ケーシング２、６２の上面プレート２１、８１が、押しボタンスイッチ１６の上方に、押しボタンスイッチ１６をオンオフに切り換える操作部１２を設けることができる。
以上のバッテリパックは、上面プレートに押しボタンスイッチの操作部を設けているので、ユーザーが便利に押しボタンスイッチを操作できる。
【図面の簡単な説明】
【００１７】
【図１】本出願人が先に出願した携帯電子機器の充電装置の垂直断面図である。
【図２】本発明の一実施例にかかるバッテリパックを充電台にセットする状態を示す斜視図である。
【図３】本発明の一実施例にかかるバッテリパックを充電台にセットした状態を示すブロック図である。
【図４】本発明の実施例１にかかるバッテリパックの斜視図である。
【図５】図４に示すバッテリパックを下側から見た背面斜視図である。
【図６】図４に示すバッテリパックのＶＩ−ＶＩ線断面図である。
【図７】図４に示すバッテリパックのＶＩＩ−ＶＩＩ線断面図である。
【図８】図４に示すバッテリパックのＶＩＩＩ−ＶＩＩＩ線断面図である。
【図９】図４に示すバッテリパックのＩＸ−ＩＸ線断面図である。
【図１０】図４に示すバッテリパックの分解斜視図である。
【図１１】図１０に示すバッテリパックを下側から見た分解斜視図である。
【図１２】図１０に示すバッテリパックの内蔵電池と絶縁ホルダーの連結状態を示す分解斜視図である。
【図１３】図１２に示すバッテリパックを下側から見た分解斜視図である。
【図１４】本発明の一実施例にかかるバッテリパックのブロック図である。
【図１５】本発明の実施例２にかかるバッテリパックの斜視図である。
【図１６】図１５に示すバッテリパックを下側から見た背面斜視図である。
【図１７】図１５に示すバッテリパックのＸＶＩＩ−ＸＶＩＩ線断面図である。
【図１８】図１５に示すバッテリパックのＸＶＩＩＩ−ＸＶＩＩＩ線断面図である。
【図１９】図１５に示すバッテリパックの分解斜視図である。
【図２０】図１９に示すバッテリパックを下側から見た分解斜視図である。
【図２１】図２０に示すバッテリパックの内蔵電池と絶縁ホルダーの連結状態を示す分解斜視図である。
【図２２】図２１に示すバッテリパックを背面から見た分解斜視図である。
【発明を実施するための形態】
【００１８】
以下、本発明の実施例を図面に基づいて説明する。ただし、以下に示す実施例は、本発明の技術思想を具体化するための出力コネクタを備えるバッテリパックを例示するものであって、本発明は出力コネクタを備えるバッテリパックを以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１９】
本発明のバッテリパックは、図２と図３に示すように、磁気誘導作用で電力を搬送する充電台１１０に載せて充電され、さらに、外部電源１２０に接続されて充電される内蔵電池１を備えている。さらに、充電された内蔵電池１の電力を外部に出力する電源用の出力コネクタ８も備えている。
【００２０】
（充電台）
磁気誘導作用でバッテリパックの内蔵電池１を充電する充電台１１０は、図２と図３に示すように、バッテリパック１０に磁気誘導作用で電力を供給する送電コイル１０５を内蔵している。バッテリパック１０は、この送電コイル１０５に電磁結合される受電コイル５と、この受電コイル５に誘導される交流を直流に変換して電池を充電する充電機能を備える。
【００２１】
図２と図３に示す充電台１１０は、送電コイル１０５に交流電力を供給する交流電源１０１と、この交流電源１０１と送電コイル１０５とを内蔵する外装ケース１０２とを備えている。外装ケース１０２は、バッテリパック１０を脱着自在に載せる平面状の載せプレート１０６を上面に設けている。図２の充電台１１０は、載せプレート１０６の外形をバッテリパック１０の外形よりも大きくしている。この充電台１１０は、バッテリパック１０を安定して載せプレート１０６の上にセットできる。充電台１１０は、載せプレート１０６の下面に送電コイル１０５を配置している。送電コイル１０５は、載せプレート１０６の下面に沿うように固定され、あるいは、載せプレートの下面に沿って移動するように配置される。
【００２２】
送電コイル１０５を固定している外装ケース１０２は、送電コイル１０５の位置、いいかえると、バッテリパック１０をセットする位置を表示して、送電コイル１０５から受電コイル５に効率よく磁気誘導作用で電力を搬送する。図２の載せプレート１０６は、バッテリパック１０を載せる位置を示すセット位置を図形１０７で表示して、バッテリパック１０を正常なセット位置に配置するようにしている。図の外装ケース１０２は、載せプレート１０６の上面に、バッテリパック１０の外形を示す図形１０７を印刷してセット位置を表示している。この充電台１１０は、図形１０７の外形に合わせてバッテリパック１０をセットして、正常なセット位置に配置できる。さらに、図に示す載せプレート１０６は、複数種のバッテリパック１０を正しいセット位置に配置できるように、複数のセット位置を図形１０７で印刷して表示している。この充電台１１０は、種々のバッテリパック１０を、正確な位置にセットできる特長がある。
【００２３】
送電コイルが載せプレートの下面に沿って移動する充電台は、図示しないが、載せプレートの上にセットされるバッテリパックの受電コイルの位置を検出して、受電コイルに接近するように送電コイルを移動させる。この構造の充電台は、バッテリパックをセットする位置を特定しない。載せプレートのあらゆる位置にセットされるバッテリパックの受電コイルに送電コイルを接近して効率よく磁気誘導作用で電力搬送できるからである。
【００２４】
送電コイル１０５は、載せプレート１０６の下に水平に配置できるように、渦巻き状に巻かれた平面状のコイルとしている。送電コイルは、プラスチック製の載せプレートにインサート成形して固定することができる。送電コイルを載せプレートにインサート成形する充電台は、全体を薄くできる。また、送電コイルをしっかりと外装ケースに固定しながら、載せプレートの表面に接近するように送電コイルを配置して、受電コイルとの間隔を狭くして、効率よく交流電力を受電コイルに伝送できる。送電コイルのインダクタンスは、交流電力の周波数により最適値に設定される。たとえば、供給される交流電力の周波数を１００ｋＨｚ〜５００ｋＨｚとする送電コイルは、インダクタンスを数十μＨないし数ｍＨとする。ただし、充電台は、送電コイルに供給する交流電力の周波数をこの範囲には特定しない。送電コイルには、１００ｋＨｚよりも低く、あるいは５００ｋＨｚよりも高い周波数の交流電力を供給して、バッテリパックに磁気誘導作用で電力搬送できるからである。送電コイルのインダクタンスは、交流電力の周波数が高くなると小さく、周波数が低くなると大きくして、磁気誘導作用で効率よく受電コイルに電力搬送できる。
【００２５】
交流電源１０１は、入力される電力を送電コイル１０５に供給する周波数の交流に変換して出力する。交流電源１０１は、ＡＣアダプタ１０９から直流が入力され、あるいはＵＳＢコネクタなどのコネクタから直流が入力される。また、交流電源は、交流の商用電源を入力して、これを送電コイル１０５に供給する周波数の交流に変換して出力することもできる。交流電源１０１は、入力される直流や交流を所定の周波数と電圧の交流に変換して、送電コイル１０５に出力する。ＡＣアダプタ１０９やコネクタから直流電力を入力する交流電源１０１は、ＤＣ／ＡＣインバータで直流を交流に変換して出力する。商用電源の交流を入力する交流電源は、交流を整流回路で直流に変換し、整流回路から出力される直流をＤＣ／ＡＣインバータで交流に変換して送電コイル１０５に出力する。
【００２６】
交流電源１０１は、バッテリパック１０がセットされたことを検出し、あるいはユーザーが電源スイッチ（図示せず）をオンに切り換えて、送電コイル１０５に交流電力を出力する。バッテリパック１０を検出する交流電源１０１は、バッテリパック１０に設けている受電コイル５の検出回路（図示せず）を備えている。さらに、交流電源１０１は、バッテリパック１０の内蔵電池１が満充電されたことを検出して、送電コイル１０５の交流電力の出力を停止する。交流電源１０１は、送電コイル１０５の電流変化を検出して、内蔵電池１の満充電を検出する。バッテリパック１０の内蔵電池１が満充電されると、受電コイル５が無負荷となって受電コイル５の電流がほぼ遮断された状態となる。受電コイル５の電流がほぼ遮断されると、送電コイル１０５の電流も減少する。したがって、交流電源１０１は送電コイル１０５の電流が設定値よりも小さくなったことを検出して、バッテリパック１０の内蔵電池１が満充電されたことを検出できる。
【００２７】
バッテリパック１０は、図２ないし図１４に示すように、電磁誘導作用で電力を搬送して充電する送電コイル１０５を有する充電台１１０に載せられて、送電コイル１０５から電力を受け取る受電コイル５と、この受電コイル５に誘導される電力で充電される内蔵電池１と、この内蔵電池１の出力を外部に出力する電源用の出力コネクタ８と、受電コイル５に誘導される電力で内蔵電池１を充電する充電回路５０を実装する回路基板４と、この回路基板４と受電コイル５と内蔵電池１とを内蔵するケーシング２とを備える。さらに、バッテリパック１０は、外部電源１２０に接続されて充電されるサブ充電回路５７も内蔵している。
【００２８】
（ケーシング）
ケーシング２は、プラスチック製の上ケース２Ａと下ケース２Ｂを連結して内部に収納スペース２５を設けている。図４ないし図１３のケーシング２は、充電台１１０に載せられる平面状の底プレート２２と、この底プレート２２から離して対向する姿勢に配置している上面プレート２１と、底プレート２２及び上面プレート２１両側縁の側壁２３Ａと両端縁の端面壁２３Ｂとからなる周壁２３を有し、底プレート２２と上面プレート２１と周壁２３とで閉鎖構造の収納スペース２５を内部に設けている。
【００２９】
底プレート２２は下ケース２Ｂに、上面プレート２１は上ケース２Ａに一体的に成形して設けている。さらに、上ケース２Ａは、周壁２３の上半分を一体的に成形して設けており、下ケース２Ｂは周壁２３の下半分を一体的に成形して設けている。ケーシング２は、上ケース２Ａと下ケース２Ｂを、周壁２３の境界で連結して、内部に収納スペース２５を設け、この収納スペース２５に、内蔵電池１と受電コイル５と回路基板４とを配置している。
【００３０】
ケーシング２は、収納スペース２５の内部に放熱スペース２６を設けるように、円筒形電池１Ａである内蔵電池１と、平面コイルの受電コイル５と、回路基板４とを収納している。放熱スペース２６を設けるために、円筒形電池１Ａの内蔵電池１は、底プレート２２と平行な姿勢であって側壁２３Ａの内側に配置され、平面コイルの受電コイル５は底プレート２２内面であって収納スペース２５の底部に配設され、回路基板４は、上面プレート２１の内面に受電コイル５から離して配設している。すなわち、収納スペース２５の底部に受電コイル５を、上部に離して回路基板４を、その側部に円筒形電池１Ａを配置して、受電コイル５と回路基板４と内蔵電池１とで囲まれる領域を放熱スペース２６としている。
【００３１】
（内蔵電池）
内蔵電池１は円筒形電池１Ａのリチウムイオン電池である。リチウムイオン電池は、ラップトップ型のマイクロコンピュータの電源などの種々の用途に多用されている１８６５０の円筒形電池１Ａが使用できる。ただし、本発明のバッテリパックは、内蔵電池をこのタイプに特定するものではない。内蔵電池１をリチウムイオン電池とするバッテリパック１０は、バッテリパック１０の外形を小さくして充電できる容量を大きくできる。さらに、内蔵電池には、リチウムイオン電池以外の円筒形電池、たとえば、ニッケル水素電池などの充電できる全ての電池を使用できる。
【００３２】
（受電コイル）
受電コイル５は、線材を平面に渦巻き状に巻いた平面コイルである。この平面コイルの受電コイル５は、渦巻きを１層又は複数層に巻いて、全体の形状を円板状として外形を円形としている。受電コイル５は、回路基板４側の表面にシールドプレート６を積層している。シールドプレート６は、受電コイル５に誘導される交流磁界から、回路基板４と内蔵電池１とをシールドしている。
【００３３】
（クッション材）
図７ないし図１３のバッテリパック１０は、受電コイル５と円筒形電池１Ａとの間にクッション材７を配置している。クッション材７は、受電コイル５を底プレート２２の内面に密着させると共に、受電コイル５と内蔵電池１との熱伝導を遮断する。クッション材７に押されて、底プレート２２に密着される受電コイル５は、バッテリパック１０を充電台１１０にセットする状態で送電コイル１０５により接近して、効率よく内蔵電池１を充電する。受電コイル５と内蔵電池１との熱伝導を遮断するクッション材７は、発熱する受電コイル５による内蔵電池１の温度上昇を理想的な状態で遮断する。ただ、受電コイルは、接着剤や両面テープ等を介して、底プレートの内面に接着して固定することもできる。
【００３４】
（回路基板）
回路基板４は、図７ないし図９に示すように、内蔵電池１である円筒形電池１Ａの最高位置の接線位置よりも下方に配置して、回路基板４の上面に押しボタンスイッチ１６や電子部品などを実装している。さらに、平面コイルの受電コイル５は、内蔵電池１である円筒形電池１Ａの最低位置の接線位置よりも外側に配設している。このバッテリパック１０は、内蔵電池１である円筒形電池１Ａから受電コイル５を離して配置して、受電コイル５による内蔵電池１の温度上昇をより少なくできる。
【００３５】
（出力コネクタ、入力コネクタ）
さらに、バッテリパック１０は、図３ないし図１４に示すように、外部に接続される携帯電子機器１３０に電力を供給する出力コネクタ８を備えている。図のバッテリパック１０は、出力コネクタ８としてＵＳＢコネクタ８Ａを備える。出力コネクタ８であるＵＳＢコネクタ８Ａは、標準ＵＳＢコネクタであり、操作部１２を押圧したとき、電力を出力する。ただ、出力コネクタはＵＳＢコネクタには特定されない。出力コネクタには、外部に接続される携帯電子機器に電力を供給できる、ＵＳＢコネクタ以外のコネクタ、例えば、携帯電話に接続される電源端子を接続するコネクタ等を使用することもできる。さらに、図のバッテリパック１０は、内蔵電池１を充電するための入力コネクタ１８も備える。図の出力コネクタ８と入力コネクタ１８は、回路基板４に固定されて、収納スペース２５の定位置に配置している。
【００３６】
回路基板４は、図１４に示すように、受電コイル５に誘導される交流を直流に変換して内蔵電池１を充電する充電回路５０と、外部電源１２０から入力される電力で内蔵電池１を充電するサブ充電回路５７と、充電された内蔵電池１の電圧を一定の電圧に安定化して出力するＤＣ／ＤＣコンバータ５８と、内蔵電池１の充電状態と出力コネクタ８への放電状態とを制御する制御回路４０とを実装している。
【００３７】
（充電回路）
充電回路５０は、受電コイル５に誘導される交流を整流して直流に変換する整流回路５１と、この整流回路５１で整流された脈流を平滑化する平滑回路５２の平滑コンデンサー５２Ａと、この平滑回路５２で平滑化された直流で内蔵電池１を充電する充電制御回路５３とを備えている。充電回路５０は、内蔵電池１を好ましい電圧と電流で充電する。内蔵電池１をリチウムイオン電池とするバッテリパック１０の充電回路５０は、充電制御回路５３を、内蔵電池１を一定の電圧と電流で充電する定電圧・定電流回路とする。内蔵電池をニッケル水素電池などのアルカリ電池とするバッテリパックは、充電制御回路を定電流回路とする。
【００３８】
（サブ充電回路）
サブ充電回路５７は、外部電源１２０から入力される電力で内蔵電池１を充電する。内蔵電池１をリチウムイオン電池とするバッテリパックにあっては、このサブ充電回路５７が定電圧・定電流充電して内蔵電池１を充電する。また、内蔵電池をニッケル水素電池やニッケルカドミウム電池とするバッテリパックにあっては、サブ充電回路が定電流充電して内蔵電池を充電する。さらに、サブ充電回路５７は、内蔵電池１の満充電を検出して充電を停止する。図に示すバッテリパック１０は、外部電源１２０からサブ充電回路５７に電力を入力する入力コネクタ１８を備えている。図に示す入力コネクタ１８は、ミニ又はマイクロＵＳＢコネクタ１８Ａとしている。ただ、入力コネクタは、外部電源から電力を入力できるミニ又はマイクロＵＳＢコネクタ以外のコネクタ、例えば、ＡＣアダプタに接続されるピンプラグを接続するコネクタ等を使用することもできる。
【００３９】
サブ充電回路５７は、入力コネクタ１８に外部電源１２０が接続されると、このことを入力電流、または入力電圧から検出できる。外部電源１２０が接続されると、外部電源１２０から電力が供給されるからである。サブ充電回路５７は、外部電源１２０から電力が入力される状態において、外部電源１２０から供給される電力で内蔵電池１を充電する。ただ、バッテリパックは、充電専用の入力コネクタを設けることなく、出力コネクタを、外部から電力を入力するコネクタと外部に電力を出力するコネクタとに併用することもできる。このバッテリパックは、たとえば、出力コネクタを、切換スイッチを介してサブ充電回路とＤＣ／ＤＣコンバータに接続し、この切換スイッチを制御して出力コネクタをサブ充電回路とＤＣ／ＤＣコンバータのいずれかに接続する。
【００４０】
さらに、このバッテリパックは、入力コネクタ１８に外部電源１２０が接続されて、かつ充電台１１０にセットされる状態において、外部電源１２０と充電台１１０のいずれか一方で内蔵電池１を充電する構造としている。図１４の制御回路４０は、バッテリパック１０が充電台１１０にセットされたことを検出する充電台検出部４１と、外部電源１２０の接続又は充電を検出する外部電源検出部４２と、充電台検出部４１と外部電源検出部４２の検出信号で、内蔵電池１の充電を充電台１１０と外部電源１２０のいずれかに選択する充電選択部４３を備える。
【００４１】
制御回路４０は、バッテリパック１０が充電台１１０にセットされ、かつ外部電源１２０の接続状態において、充電選択部４３でもって、充電台１１０と外部電源１２０のいずれか一方で内蔵電池１を充電するように制御する。制御回路４０は、好ましくは、バッテリパック１０が充電台１１０にセットされて、外部電源１２０が接続される状態、すなわち、充電台１１０と外部電源１２０の両方で内蔵電池１を充電できる状態にあっては、充電台１１０から電力搬送される電力で内蔵電池１を充電することなく、外部電源１２０から供給される電力のみで内蔵電池１を充電する。ただし、バッテリパック１０が充電台１１０にセットされて、外部電源１２０が接続される状態において、外部電源１２０から供給される電力で内蔵電池１を充電することなく、充電台１１０から電力搬送される電力でのみで内蔵電池１を充電することもできる。この場合は、スイッチ４４をオフに制御してサブ充電回路５７からの電力を遮断する。
【００４２】
制御回路４０の充電台検出部４１は、バッテリパック１０が充電台１１０にセットされ、あるいは充電台１１０で充電される状態を検出する。この制御回路４０は、受電コイル５の出力を直流に変換する整流回路５１の出力を電源電圧として動作し、内蔵電池１から供給される電力では動作しない。すなわち、内蔵電池１は、制御回路４０を動作させる電力を消費せず、充電台１１０から磁気誘導作用で供給される電力で動作する。このため、制御回路４０は、バッテリパック１０が充電台１１０にセットされる状態で動作状態となる。充電台検出部４１は、制御回路４０が動作状態になったことで、バッテリパック１０が充電台１１０にセットされたことを検出する。この充電台検出部４１は、簡単な回路構成で充電台１１０にセットされたことを検出できる。ただし、充電台検出部は、充電台から送信される信号を受信して、充電台にセットされたことを検出することもできる。
【００４３】
外部電源検出部４２は、外部電源１２０の接続を検出し、あるいは外部電源１２０による内蔵電池１の充電を検出する。外部電源検出部４２は、無接点充電を停止する状態で、外部電源１２０の接続や充電を検出する。無接点充電の停止は、充電回路５０と内蔵電池１との間に接続しているスイッチ４５をオフに切り換えて実現される。制御回路４０は、外部電源１２０の接続や充電を検出するタイミングにおいて、スイッチ４５をオフに保持して無接点充電を停止する。
【００４４】
制御回路４０は、充電台検出部４１で充電台１１０にセットされたことを検出し、さらに外部電源検出部４２でもって、外部電源１２０の接続や充電を検出すると、充電選択部４３でもって、充電台１１０に充電停止信号を伝送して、充電台１１０の充電を停止して、外部電源１２０で内蔵電池１を充電する。制御回路４０は、バッテリパック１０が充電台１１０にセットされない状態で、外部電源１２０が接続されると、外部電源１２０で内蔵電池１を充電する。バッテリパック１０が充電台１１０にセットされない状態では、外部電源検出部４２で外部電源１２０の接続や充電を検出する必要はない。内蔵電池１を理想的な状態で外部電源１２０で充電できるからである。バッテリパック１０が充電台１１０にセットされる状態に限って、外部電源検出部４２は外部電源１２０の接続や充電を検出するので、外部電源検出部４２は、バッテリパック１０が充電台１１０にセットされない状態で、外部電源１２０の接続や充電を検出する必要はない。したがって、充電台１１０から電力搬送される電力で制御回路４０を動作状態とするバッテリパック１０は、外部電源１２０の接続や充電を検出する状態に限って、動作状態となって、外部電源１２０の接続や充電を検出する。ただ、制御回路４０は、つねに充電台検出部４１と外部電源検出部４２とを動作状態として、充電台１１０へのセットと、外部電源１２０の接続や充電を検出することもできる。この制御回路４０は、充電台１１０にセットされて外部電源１２０が接続されない状態では、充電台１１０で内蔵電池１を充電し、充電台１１０にセットされない状態で外部電源１２０が接続される状態では、外部電源１２０で内蔵電池１を充電する。
【００４５】
制御回路４０は、図１４において、受電コイル５と並列に接続している並列コンデンサー５４と直列に接続している信号スイッチ５５をオン状態に保持して、充電台１１０に充電停止信号を送信する。充電台１１０は、並列コンデンサー５６が受電コイル５と並列に接続されることを検出して、送電コイル１０１に交流を出力するのを停止する。また、制御回路４０は、信号スイッチ５５をオンに保持するのでなく、信号スイッチ５５を特定の状態でオンオフに切り換えて、充電台１１０に外部電源１２０の接続を伝送することもできる。充電台１１０は、信号スイッチ５５のオンオフを検出して、外部電源１２０の接続や充電を検出して、送電コイル１０１に交流を出力するのを停止する。送電コイル１０１に交流を入力しないように制御して、充電台１１０による内蔵電池１の充電を停止する回路構成は、無駄な電力消費を削減できると共に、バッテリパック１０が送電コイル１０１から出力される電力で無駄に加温される弊害も防止できる。ただ、制御回路４０は、外部電源１２０の接続や充電を検出する状態で、必ずしも送電コイル１０１に交流を出力しない状態とすることなく、送電コイル１０１に交流を出力しながら、バッテリパック１０側で内蔵電池１への充電電流を遮断するスイッチ４５をオフにして、充電台１１０による充電を停止することもできる。
【００４６】
整流回路５１は、受電コイル５に誘導される交流を整流して、制御回路４０に出力する。図のバッテリパック１０は、受電コイル５と整流回路５１の間に直列コンデンサー５６を接続しており、この直列コンデンサー５６を介して、受電コイル５に誘導される交流を整流回路５１に入力している。直列コンデンサー５６は、受電コイル５と直列共振回路を構成して、受電コイル５に誘導される交流を効率よく整流回路５１に入力する。したがって、直列コンデンサー５６の静電容量は、受電コイル５のインダクタンスで、誘導される交流の周波数に近くなるように設定される。
【００４７】
（ＤＣ／ＤＣコンバータ）
ＤＣ／ＤＣコンバータ５８は、充電された内蔵電池１の電圧を一定の電圧に安定化して出力する。図１４の回路図に示す回路基板４は、内蔵電池１とＤＣ／ＤＣコンバータ５８との間に、放電スイッチ４６を接続している。この放電スイッチ４６は、制御回路４０でオンオフに制御される。制御回路４０は、操作部１２を介して操作される押しボタンスイッチ１６から入力される信号で放電スイッチ４６をオンオフに切り変える。制御回路４０は、押しボタンスイッチ１６から一定の時間オン信号が入力されると放電スイッチ４６をオンに切り換えて、内蔵電池１の出力をＤＣ／ＤＣコンバータ５８に出力する。この状態でＤＣ／ＤＣコンバータ５８は動作状態となって、出力側に接続している出力コネクタ８に安定化された電力を供給する。制御回路４０は、出力コネクタ８に接続している携帯電子機器が外されると、出力コネクタ８から携帯電子機器が外されたことを、出力電流で検出できる。携帯電子機器が外されると出力電流が０Ａとなるからである。
【００４８】
さらに、回路基板４は、図１４に示すように、内蔵電池１の充放電を制御する保護回路４７を実装している。保護回路４７は、電池温度と電池の電圧を検出して電池の充放電をコントロールする。電池の温度は、内蔵電池１の表面に熱結合状態に固定している温度センサ１９で検出される。したがって、保護回路４７には温度センサ１９を接続している。保護回路４７は、電池の充放電電流を制限する温度を記憶するメモリ４８を備えている。メモリ４８は、電池の温度に対する許容電流を記憶している。許容電流は、その温度において電池に流すことができる最大電流であって、この電流よりも少ない電流で使用される。したがって、保護回路４７は、電池温度から電池を充放電する電流を許容電流よりも小さく制御して電池を保護する。また、保護回路４７は、電池の充放電を許容する最高温度と最低温度を記憶して、この最高温度と最低温度との間で充放電を許容するように制御することもできる。最高温度と最低温度は、電池の種類により最適温度に設定され、たとえばリチウムイオン電池においては、最高温度を約６０℃〜７０℃、最低温度を約−１０℃〜０℃とすることができる。
【００４９】
さらに、保護回路４７は、内蔵電池１の電圧を検出して充放電を制御する。この保護回路４７は、充電している電池の電圧が最高電圧まで上昇すると充電を停止し、また、放電している電池の電圧が最低電圧まで低下すると放電を停止する。図１４に示す保護回路４７は、電池温度や電池電圧の異常を検出すると、充電回路５０を制御して内蔵電池１の充電を停止し、また、放電スイッチ４６をオフに制御して内蔵電池１の放電を停止する。
【００５０】
さらに、図１４に示すバッテリパックは、内蔵電池１とＤＣ／ＤＣコンバータ５８との間に、放電スイッチ４６を接続している。この放電スイッチ４６は、制御回路４０でオンオフに制御される。制御回路４０は、押しボタンスイッチ１６から入力される信号で放電スイッチ４６をオンオフに切り変える。制御回路４０は、押しボタンスイッチ１６から一定の時間オン信号が入力されると放電スイッチ４６をオンに切り換えて、内蔵電池１の出力をＤＣ／ＤＣコンバータ５８に出力する。この状態でＤＣ／ＤＣコンバータ５８は動作状態となって、出力側に接続している出力コネクタ８に安定化された電力を供給する。制御回路４０は、出力コネクタ８に接続している携帯電子機器１３０が外されると、出力コネクタ８から携帯電子機器１３０が外されたことを、出力電流で検出できる。携帯電子機器１３０が外されると出力電流が０Ａとなるからである。
【００５１】
さらに、図１４に示すバッテリパックは、内蔵電池１の残容量を検出する残容量検出回路４９も実装している。この残容量検出回路４９は、内蔵電池１の電圧や電池の電流から残容量を演算して、発光ダイオード１７の発光色や点灯個数で残容量を表示する。この残容量検出回路４９は、押しボタンスイッチ１６からオン信号が入力されると、発光ダイオード１７を点灯して所定の時間にわたって残容量を表示する。発光ダイオード１７は、図６に示すように、回路基板４に固定しており、残容量検出回路４９に制御されて内蔵電池１の残容量を表示する。バッテリパック１０は、発光ダイオード１７の上方に位置する上面プレート２１を、透光性を有するプラスチックで製作している。さらに、図６に示すケーシング２の上面プレート２１は、発光ダイオード１７と対向する部分を薄く成形して、発光ダイオード１７から照射される光を外部に透過する透光部２１ｄを設けている。このケーシング２は、発光ダイオード１７を表出させる開口窓を設けることなく、発光ダイオード１７の発光を透過させて外部に表示できる。ただ、ケースは、開口窓を設けて発光ダイオードをケースから表出させて外部に表示することもできる。
【００５２】
さらに、制御回路は、内蔵電池１の満充電を検出して、内蔵電池１の充電を停止する。充電回路５０は、内蔵電池１の満充電を検出すると、満充電されたことを示す満充電信号を充電台１１０に伝送する。充電台１１０は、満充電信号を検出して充電を停止する。
【００５３】
［実施例１］
図４ないし図１３に示すバッテリパックは、ケーシング２の収納スペース２５に２本の内蔵電池１を配置している。ケーシング２に内蔵する２本の内蔵電池１は円筒形電池１Ａで、この円筒形電池１Ａを収納スペース２５に、底プレート２２と平行な姿勢であって側壁２３Ａの内側に配置している。このバッテリパック１０は、収納スペース２５の両側に一対の内蔵電池１を配置して、一対の内蔵電池１の間に放熱スペース２６を設けている。
【００５４】
図４ないし図１３に示すバッテリパック１０は、一対の円筒形電池１Ａと回路基板４と絶縁ホルダー３からなる電池組立９をケーシング２に内蔵している。さらに、このバッテリパック１０の電池組立９は、一対の円筒形電池１Ａを互いに平行な姿勢で所定の間隔離して、その間に放熱スペース２６ができるように絶縁材の絶縁ホルダー３で配設して、この絶縁ホルダー３でもって、回路基板４と円筒形電池１Ａと受電コイル５とを定位置に配置している。図７と図９のバッテリパック１０は、収納スペース２５の両側に配置された一対の内蔵電池１の最低位置となる頂部の間に受電コイル５を配置している。
【００５５】
（ケーシング）
ケーシング２は、その内部に電池組立９を収納している。図４ないし図１３のケーシング２は、上ケース２Ａと下ケース２Ｂからなる。上ケース２Ａに設けている上面プレート２１と、下ケース２Ｂに設けている底プレート２２は四角形で、上面プレート２１と底プレート２２の間に、平行に並べた２本の内蔵電池１を収納している。ケーシング２の両側部分に位置する周壁２３は、内蔵電池１の表面に沿う湾曲面としている。ケーシング２の周壁２３は、両側に設けた側壁２３Ａと、その両端部に設けた端面壁２３Ｂとからなる。図のケーシング２は、側壁２３Ａを円筒形電池１Ａの表面に沿って湾曲する形状として、端面壁２３Ｂを平面状としている。上ケース２Ａと下ケース２Ｂは、側壁２３Ａと端面壁２３Ｂとからなる周壁２３を一体的に成形して設けた形状に、プラスチックを成形して製作している。
【００５６】
上ケース２Ａと下ケース２Ｂは、互いに周壁２３の開口端を連結して、内部を閉鎖する構造に連結している。図のケーシング２は、上ケース２Ａと下ケース２Ｂを止ネジ１３で連結して固定している。止ネジ１３をねじ込んで連結するために、下ケース２Ｂは、底プレート２２の内面に突出して、止ネジ１３を挿通する挿入ボス２２ａを一体的に成形して設けて、上ケース２Ａは、上面プレート２１の内面に突出するように、止ネジ１３をねじこむ連結ボス２１ａを一体的に成形して設けている。止ネジ１３は、下ケース２Ｂの外側面に設けた挿入凹部２２ｂから挿入ボス２２ａに挿入されて、下ケース２Ｂを貫通し、連結ボス２１ａにねじ込まれて、上ケース２Ａと下ケース２Ｂを連結する。互いに連結される上ケース２Ａと下ケース２Ｂの周壁２３は、開口端を超音波溶着し、あるいは接着し、あるいは係止構造として確実に連結できる。さらに、下ケース２Ｂの表面には、ラベル１４を付着して止ネジ１３を挿入する挿入凹部２２ｂを外側から見えなくしている。
【００５７】
さらに、図１０の下ケース２Ｂは、底プレート２２に配置する受電コイル５を定位置に配置できるように、底プレート２２の内面に、受電コイル５を収納できる円形凹部２２ｄを設ける共に、この円形凹部２２ｄの中心に位置して、受電コイル５の中心孔に挿通する位置決めボス２２ｃを一体成形して設けている。図に示す位置決めボス２２ｃは円筒状で、受電コイル５とシールドプレート６の中心孔を嵌入して、これらを定位置に配置している。
【００５８】
ケーシング２は、一方の端面壁２３Ｂに、２組のＵＳＢコネクタ８Ａを２段積みにして外部に表出させる２個のコネクタ窓２８を開口して、他方の端面壁２３Ｂには、ひとつのミニ又はマイクロＵＳＢコネクタ１８Ａのコネクタ窓２８を開口している。さらに、上ケース２Ａは、押しボタンスイッチ１６を操作する操作部１２を外部に表出するためのスイッチ窓２１ｃを上面プレート２１に開口している。
【００５９】
（絶縁ホルダー）
絶縁ホルダー３は、回路基板４を、一対の円筒形電池１Ａの間隔が広くなる外側部に配置して、出力コネクタ８と入力コネクタ１８を円筒形電池１Ａの間の放熱スペース２６に配置している。絶縁ホルダー３は、図７ないし図９に示すように、回路基板４を、２本の円筒形電池１Ａの最高位置の接線位置よりも下方に位置して配置して、回路基板４よりも内側部に出力コネクタ８と入力コネクタ１８を配設している。絶縁ホルダー３は、絶縁材のプラスチックを成形して制作される。絶縁ホルダー３は、その長手方向をケーシング２の側壁２３Ａと平行な姿勢として、ケーシング２の中央部に配設される。絶縁ホルダー３は、ケーシング２の両端に設けている一対の端面壁２３Ｂの間に配設されて、ケーシング２の両端の端面壁２３Ｂで長手方向の位置ずれを阻止している。したがって、図６、及び図１０ないし図１３の絶縁ホルダー３は、長手方向の長さ、すなわちその全長を、対向する端面壁２３Ｂの内側間隔として、端面壁２３Ｂの間に配設している。
【００６０】
絶縁ホルダー３は、その内側の定位置に回路基板４を配置して、両側に一対の内蔵電池１を配置する。図７ないし図１１の絶縁ホルダー３は、両側の対向壁３１と、対向壁３１を連結する連結プレート３２とをプラスチックで一体的に成形している。両側の対向壁３１は、互いに平行に配設されて、その外側に配置される内蔵電池１の表面に沿う形状としている。連結プレート３２は、ケーシング２の底プレート２２の内側にあって、両側の対向壁３１をその片側で連結している。
【００６１】
対向壁３１は、底プレート２２側を平面部３１Ａとして、上面プレート２１側を湾曲部３１Ｂとして、平面部３１Ａの片側を連結プレート３２に連結している。すなわち、図７ないし図１１の対向壁３１は、片側を平面部３１Ａとして、その反対側を湾曲部３１Ｂとして、平面部３１Ａを連結プレート３２に連結している。湾曲部３１Ｂは、内蔵電池１の表面に沿って湾曲するので、上面プレート２１に向かって、その内幅が広くなる。内幅が広くなる湾曲部３１Ｂの上面プレート２１側に、回路基板４を連結している。この形状の絶縁ホルダー３は、対向壁３１を内蔵電池１に沿う形状として内蔵電池１を安定して定位置に配置しながら、湾曲部３１Ｂに回路基板４を配置することで、幅の広い、すなわち多数の電子部品を実装する回路基板４を配置できる。また、ここに配設される回路基板４は、上面プレート２１との対向面の反対側の面である内面に突出して、電子部品を配置できる。ここに配置される電子部品は、回路基板４と一対の対向壁３１の内側にできるスペースに有効に配置される。
【００６２】
回路基板４は、連結プレート３２と平行な姿勢で、一対の対向壁３１の内側に連結される。回路基板４を定位置に配置するために、一対の対向壁３１は、回路基板４の両側に位置して、回路基板４の表面よりも突出する一対の保持リブ３４を設けて、これらの保持リブ３４の対向する内側に段差部３５と係止フック３６とを設けている。係止フック３６は、絶縁ホルダー３に一体的に成形して設けている。段差部３５は、ここに回路基板４の両側を載せて定位置に配置する。
【００６３】
さらに、絶縁ホルダー３は、図８、図１１、及び図１３に示すように、対向壁３１の内側に配置している回路基板４にリード線１９Ｂを連結している温度センサ１９の温度検出部１９Ａを、絶縁ホルダー３の外側に配置している内蔵電池１に熱結合するために、リード線１９Ｂの引き出し穴３９を設けている。各々の温度センサ１９のリード線１９Ｂが引き出し穴３９に挿通されて、リード線１９Ｂの先端に設けている温度検出部１９Ａが内蔵電池１の表面の湾曲面に熱結合されている。２個の温度センサ１９が各々の内蔵電池１の表面に熱結合して配置されるので、絶縁ホルダー３は、各々の温度センサ１９のリード線１９Ｂを挿通する一対の引き出し穴３９を設けている。
【００６４】
引き出し穴３９は連結プレート３２の両側部であって対向壁３１とのコーナー部に設けている。引き出し穴３９に挿通される温度センサ１９のリード線１９Ｂは、可撓性があって変形できる。温度センサ１９のリード線１９Ｂは、回路基板４に垂直姿勢に固定されて、対向壁３１の平面部３１Ａの内面に沿って垂直方向に伸びて引き出し穴３９に挿通され、引き出し穴３９から絶縁ホルダー３の外部に引き出されて、内蔵電池１の表面に向かって外側に折曲されて温度検出部１９Ａを内蔵電池１の表面に接近させている。さらに、温度センサ１９の温度検出部１９Ａは、受電コイル５と円筒形電池１Ａとの間に配置されたクッション材７で押圧されて、内蔵電池１に熱結合状態に固定している。このため、引き出し穴３９から引き出されたリード線１９Ｂの先端の温度検出部１９Ａを確実に内蔵電池１の表面に接触させて熱結合できる。ただ、温度センサーの温度検出部は、必ずしもクッション材で内蔵電池の表面に押圧する必要はなく、温度センサの温度検出部を内蔵電池の表面に接近する状態で、温度検出部を熱伝導ペーストを介して内蔵電池の表面に熱結合することもできる。
【００６５】
さらに、絶縁ホルダー３は、ケーシング２の定位置に連結するために、ケーシング２と対向壁３１とを嵌合構造で連結している。嵌合構造は、ケーシング２の上面プレート２１に設けた嵌着凸部２１ｂと、絶縁ホルダー３の対向壁３１に設けた嵌着凹部３１ｂで構成し、嵌着凸部２１ｂを嵌着凹部３１ｂに案内して、絶縁ホルダー３をケーシング２の定位置に配置している。絶縁ホルダー３は、対向壁３１の湾曲部３１Ｂの端縁部であって、上面プレート２１に接触する面に嵌着凹部３１ｂを設けている。図７ないし図９に示す絶縁ホルダー３は、湾曲部３１Ｂの端縁部であって、対向する保持リブ３４の外側に長手方向に伸びる溝形の嵌着凹部３１ｂを設けている。この嵌着凹部３１ｂに挿通される嵌着凸部２１ｂは、上面プレート２１の内面に突出して設けている。溝形の嵌着凹部３１ｂに案内するために、嵌着凸部２１ｂは細長い凸条としている。
【００６６】
さらに、絶縁ホルダー３をケーシング２の定位置に配置するために、絶縁ホルダー３には位置決め穴３２ａを設けている。位置決め穴３２ａは、絶縁ホルダー３の連結プレート３２に設けている。さらに、連結プレート３２は、内面に突出するようにガイドボス３２ｂを一体的に成形して設けて、このガイドボス３２ｂの中心に位置決め穴３２ａを設けている。位置決め穴３２ａは、絶縁ホルダー３をケーシング２の定位置に配置して、ケーシング２の挿入ボス２２ａが挿通される位置に設けている。ガイドボス３２ｂの中心に設けている位置決め穴３２ａに、ケーシング２の挿入ボス２２ａが挿通されて、絶縁ホルダー３はケーシング２の定位置に配置される。したがって、位置決め穴３２ａの内形は、挿入ボス２２ａの外径にほぼ等しく、挿入ボス２２ａが位置決め穴３２ａに挿通されて、絶縁ホルダー３をケーシング２の定位置に配置できる構造としている。
【００６７】
さらに、バッテリパック１０は、図６と図７に示すように、上プレート２１のスイッチ窓２１ｃから、押しボタンスイッチ１６を操作する操作部１２を表出させている。操作部１２は、回路基板４に固定している押しボタンスイッチ１６を押してオンオフに切り変える。押しボタンスイッチ１６は、図１４に示すように、回路基板４に実装している内蔵電池１の残容量検出回路４９に表示信号を出力して、残容量を表示させる。残容量検出回路４９は、発光ダイオード１７の点灯色や点灯状態で内蔵電池１の残容量を表示する。残容量検出回路４９は、押しボタンスイッチ１６から表示信号が入力されると、一定の時間、発光ダイオード１７を点灯して残容量を表示する。
【００６８】
また、押しボタンスイッチ１６は、ＤＣ／ＤＣコンバータ５８を動作状態に切り換えることもできる。押しボタンスイッチ１６のオンオフ信号で残容量を表示し、またＤＣ／ＤＣコンバータ５８の動作状態を切り換えるバッテリパック１０は、押しボタンスイッチ１６を短く押すと残容量を表示し、押しボタンスイッチ１６を長く押すとＤＣ／ＤＣコンバータ５８を動作状態に切り換えることができる。ＤＣ／ＤＣコンバータ５８は、押しボタンスイッチ１６から入力されるオン信号が設定時間よりも長いことを判定して、動作状態に切り換えられる。このバッテリパック１０は、押しボタンスイッチ１６を長く押さない状態でＤＣ／ＤＣコンバータ５８を動作しない状態に保持できるので、出力コネクタ８に携帯電子機器１３０を接続しない状態で、電池の無駄な消費を防止できる。それは、ＤＣ／ＤＣコンバータ５８が動作状態にあると負荷に携帯電子機器１３０を接続しない状態で電力を消費するからである。
【００６９】
さらに、図の絶縁ホルダー３は、回路基板４に固定される押しボタンスイッチ１６の下方に位置して、回路基板４の下面を支持する支持ボス３２ｃを連結プレート３２に一体成形して設けている。この構造は、押しボタンスイッチ１６が固定された回路基板４の下方を支持ボス３２ｃで支持するので、操作部１２を軽く押して、押しボタンスイッチ１６を確実に操作できる。
【００７０】
さらに、図１０と図１２に示す回路基板４は、操作部１２との対向面に、可撓性がある遮光性の絶縁シート１５を配設している。この絶縁シート１５は、貫通孔を有し、この貫通孔から押しボタンスイッチ１６を表出させる状態で配設している。この絶縁シート１５には、たとえば、ポリエステル等のプラスチックシートが使用できる。この絶縁シート１５は、静電気の放電経路を長くして、静電気による放電を防止しながら、ケーシング２内で点灯する発光ダイオード１７の光がスイッチ窓２１ｃから外部に漏れるのを防止する。
【００７１】
（リード板）
一対の内蔵電池１は、図１０ないし図１３に示すように、正負の端面電極をリード板１１を介して回路基板４に連結している。図に示す一対の内蔵電池１は、一方の端面電極同士を第１のリード板１１Ａで接続すると共に、他方の端面電極同士を第２のリード板１１Ｂで接続している。すなわち、一対の内蔵電池１は、リード板１１で互いに並列に接続して回路基板４に接続している。ただ、一対の円筒形電池は、互いに直列に接続することもできる。
【００７２】
図のリード板１１は、端面電極に接続される接続部を、連結部で連結してなる形状としている。第１のリード板１１Ａは、上下２段のＵＳＢコネクタ８Ａが配設される端面に位置する端面電極を連結している。この第１のリード板１１Ａは、上下２段のＵＳＢコネクタ８Ａに接触しないように、連結部を底面側に折曲すると共に、ＵＳＢコネクタ８Ａの底面の周囲に沿うコ字状に折曲して、絶縁ホルダー３の連結プレート３２の下面に配置している。さらに、第１のリード板１１Ａは、連結部に設けた接続片１１ａを、絶縁ホルダー３に設けたスリット孔３８に通過させて回路基板４に接続している。第２のリード板１１Ｂは、上下２段のＵＳＢコネクタ８Ａが配設される端面と反対側の端面に位置する端面電極を連結している。この第２のリード板１１Ｂは、ＵＳＢコネクタ８Ａに接触しないように、連結部を絶縁ホルダー３の端面の下部に配置している。さらに、第２のリード板１１Ｂは、連結部に設けた接続片１１ａを絶縁ホルダー３の連結プレート３２の下面に配置し、さらに、この接続片１１ａを折曲して絶縁ホルダー３に設けたスリット孔３８に通過させて回路基板４に接続している。
【００７３】
（出力コネクタ、入力コネクタ）
出力コネクタ８と入力コネクタ１８は、回路基板４に固定されて、内蔵電池１の間に設けている放熱スペース２６に配置される。図６、図９、及び図１０ないし図１３は、出力コネクタ８であるＵＳＢコネクタ８Ａと入力コネクタ１８であるミニ又はマイクロＵＳＢコネクタ１８Ａとを定位置に配置する状態を示している。これ等の図に示す回路基板４は、一端部には標準ＵＳＢコネクタである出力コネクタ８を、他端部にはミニ又はマイクロＵＳＢコネクタ１８Ａである入力コネクタ１８を固定している。出力コネクタ８と入力コネクタ１８は、回路基板４にハンダ付けして固定される。出力コネクタ８と入力コネクタ１８は、複数の接続ピンを回路基板４に挿入して物理的に連結し、この状態で接続ピンを回路基板４の導電部にハンダ付けして回路基板４に固定し、また電気接続される。以上の回路基板４は、標準ＵＳＢコネクタであるＵＳＢコネクタ８Ａを２段に連結して回路基板４の一端部に固定して、他端部にはミニ又はマイクロＵＳＢコネクタ１８Ａをハンダ付けして固定している。出力コネクタ８と入力コネクタ１８は、回路基板４の両端部にあって、ケーシング２のコネクタ窓２８を貫通するＵＳＢプラグが挿入される。回路基板４に固定されるＵＳＢコネクタ８Ａは、２段に連結されて、絶縁ホルダー３に設けている嵌着凹部３７に案内され、絶縁ホルダー３で定位置に保持される。絶縁ホルダー３は、標準ＵＳＢコネクタであるＵＳＢコネクタ８Ａを案内する嵌着凹部３７を設けて、ここにＵＳＢコネクタ８Ａを配置している。
【００７４】
以上の実施例のバッテリパック１０は、一対の円筒形電池１Ａをケーシング２に内蔵している。ただ、本発明のバッテリパックは、１本の円筒形電池をケーシングに内蔵することもできる。以下、１本の円筒形電池を内蔵するバッテリパックの実施例を詳述する。なお、以下に示す実施例において、前述の実施例と同じ構成要素については、同符号を付してその詳細な説明は省略する。
【００７５】
［実施例２］
図１５ないし図２２に示すバッテリパック６０は、ケーシング６２の収納スペース８５に１本の内蔵電池１を配置している。ケーシング６２に内蔵する１本の内蔵電池１は円筒形電池１Ａで、この円筒形電池１Ａを収納スペース８５に、底プレート８２と平行な姿勢であって片側の側壁８３Ａの内側に配置している。このバッテリパック６０は、収納スペース８５の片側に１本の内蔵電池１を配置して、内蔵電池１の側部に放熱スペース８６を設けている。
【００７６】
図１５ないし図２２に示すバッテリパック１０は、１本の円筒形電池１Ａと回路基板４と絶縁ホルダー６３とからなる電池組立６９をケーシング６２に内蔵している。さらに、このバッテリパック６０は、ケーシング６２に内蔵される円筒形電池１Ａとケーシング６２の側壁８３Ａとの間を所定の間隔離して、その間に放熱スペース８６ができるように絶縁材の絶縁ホルダー６３を配設して、この絶縁ホルダー６３でもって回路基板４と内蔵電池１と受電コイル５とを定位置に配置している。
【００７７】
（ケーシング）
ケーシング６２は、上面プレート８１と底プレート８２の周囲に周壁８３を設けた形状であって、その内部に電池組立６９を収納している。図１５ないし図２２のケーシング６２は、上ケース６２Ａと下ケース６２Ｂからなる。ケーシング６２は、その片側部分に１本の円筒形電池１Ａを収納し、反対側の片側部分に回路基板４と出力コネクタ８と入力コネクタ１８を収納している。ケーシング６２の周壁８３は、両側に設けた側壁８３Ａと、その両端部に設けた端面壁８３Ｂとからなる。ケーシング６２の両側部分に位置する側壁８３Ａは、円筒形電池１Ａを収納する片側を、円筒形電池１Ａの表面に沿って湾曲する湾曲壁８３ａとし、反対側の片側を垂直面である垂直壁８３ｂとしている。上ケース６２Ａと下ケース６２Ｂは、互いに周壁８３の開口端を連結して、内部を閉鎖する構造に連結している。
【００７８】
図のケーシング６２は、上ケース６２Ａと下ケース６２Ｂを止ネジ１３で連結して固定している。止ネジ１３をねじ込んで連結するために、下ケース６２Ｂは、底プレート８２の内面に突出して、止ネジ１３を挿通する挿入ボス８２ａを一体的に成形して設けて、上ケース６２Ａは、上面プレート８１の内面に突出するように、止ネジ１３をねじこむ連結ボス８１ａを一体的に成形して設けている。止ネジ１３は、下ケース６２Ｂの外側面に設けた挿入凹部８２ｂから挿入ボス８２ａに挿入されて、下ケース６２Ｂを貫通し、連結ボス８１ａにねじ込まれて、上ケース６２Ａと下ケース２６Ｂを連結する。さらに、下ケース６２Ｂの表面には、ラベル１４を付着している。
【００７９】
さらに、図１９の下ケース６２Ｂは、底プレート８２に配置する受電コイル５を定位置に配置できるように、底プレート８２の内面に、受電コイル５を収納できる円形凹部８２ｄを設ける共に、この円形凹部８２ｄの中心に位置して、受電コイル５の中心孔に挿通する位置決めボス８２ｃを一体成形して設けている。図に示す位置決めボス８２ｃは円筒状で、受電コイル５とシールドプレート６の中心孔を嵌入して、これらを定位置に配置している。さらに、図２０に示す下ケース６２Ｂは、下面の両側に、円形凹部８２ｄの外形の沿う形状に湾曲された円形突出部８２ｅを設けて、底プレート８２に配置する受電コイル５の外形を大きくできるようにしている。この円形突出部８２ｅは、内側に受電コイル５が配置されるので、バッテリパック６０を充電台１１０にセットする時の受電コイル５の位置を表示する目印ともなる。
【００８０】
ケーシング６２は、両端の端面壁８３Ｂに、出力コネクタ８であるＵＳＢコネクタ８Ａと入力コネクタ１８であるミニ又はマイクロＵＳＢコネクタ１８Ａを外部に表出させるコネクタ窓２８を開口している。ケーシング６２は、一方の端面壁８３Ｂに、出力コネクタ８である標準ＵＳＢコネクタを外部に表出させるコネクタ窓２８を開口し、他方の端面壁８３Ｂには、入力コネクタ１８であるミニ又はマイクロＵＳＢコネクタ１８Ａを外部に表出させるコネクタ窓２８を開口している。さらに、上ケース６２Ａは、押しボタンスイッチ１２を外部に表出するためのスイッチ窓８１ｃを上面プレート８１に開口している。
【００８１】
（絶縁ホルダー）
絶縁ホルダー６３は、ケーシング６２の片側であって、円筒形電池１Ａと側壁８３Ａの垂直壁８３ｂとの間に配置している。絶縁ホルダー６３は、内蔵電池１と垂直壁８３ｂの間隔が広くなる外側部に回路基板４を配設して、回路基板４よりも内側部の放熱スペース８６に出力コネクタ８と入力コネクタ１８を配設している。絶縁ホルダー３は、図１７と図１８に示すように、回路基板４を、円筒形電池１Ａの最高位置の接線位置よりも下方に位置して配置して、回路基板４よりも内側部に出力コネクタ８と入力コネクタ１８を配設している。絶縁ホルダー６３は、絶縁材のプラスチックを成形して制作される。絶縁ホルダー６３は、その長手方向をケーシング６２の側壁８３Ａと平行な姿勢として、ケーシング６２の片側に配設される。絶縁ホルダー６３は、ケーシング６２の両端に設けている一対の端面壁８３Ｂの間に配設されて、ケーシング６２の両端の端面壁８３Ｂで長手方向の位置ずれを阻止している。したがって、図の絶縁ホルダー６３は、長手方向の長さ、すなわちその全長を、対向する端面壁８３Ｂの内側間隔として、端面壁８３Ｂの間に配設している。
【００８２】
絶縁ホルダー６３は、その内側の定位置に回路基板４を配置して、片側に内蔵電池１を配置する。図１７と図１８の絶縁ホルダー６３は、円筒形電池１Ａの対向面に沿う電池側の対向壁９１と、ケーシング６２の一方の側壁８３Ａである垂直壁８３ｂに沿う側壁８３Ａ側の対向壁９０と、電池側の対向壁９１と側壁８３Ａ側の対向壁９０を連結する連結プレート９２と、電池側の対向壁９１及び側壁８３Ａ側の対向壁９０と連結プレート９２の両端に設けている端面プレート９３とをプラスチックで一体的に成形している。電池側の対向壁９１と側壁８３Ａ側の対向壁９０は、互いに平行に配設されている。円筒形電池１Ａと対向する電池側の対向壁９１は、その外側に配置される円筒形電池１Ａの表面に沿う形状としている。ケーシング６２の垂直壁８３ｂと対向する側壁８３Ａ側の対向壁９０は、垂直壁８３ｂの内面に沿う形状としている。連結プレート９２は、ケーシング６２の底プレート８２の内側にあって、電池側の対向壁９１と側壁８３Ａ側の対向壁９０とをその片側で連結している。端面プレート９３は、電池側の対向壁９１と側壁８３Ａ側の対向壁９０と連結プレート９２の端部に連結するように設けられる。図の絶縁ホルダー６３は、一端に標準ＵＳＢコネクタであるＵＳＢコネクタ８Ａを、他端にミニ又はマイクロＵＳＢコネクタ１８Ａを配置しているので、両端の端面プレート９３に開口部を設けて、各々の開口部からＵＳＢコネクタ８Ａとミニ又はマイクロＵＳＢコネクタ１８Ａを表出させている。
【００８３】
電池側の対向壁９１は、底プレート８２側を平面部９１Ａとして、上面プレート８１側を湾曲部９１Ｂとして、平面部９１Ａの片側を連結プレート９２に連結している。すなわち、図１７と図１８に示す電池側の対向壁９１は、片側を平面部９１Ａとして、その反対側を湾曲部９１Ｂとして、平面部９１Ａを連結プレート９２に連結している。湾曲部９１Ｂは、内蔵電池１の表面に沿って湾曲するので、上面プレート８１に向かって、その内幅が広くなる。内幅が広くなる湾曲部９１Ｂの上面プレート８１側に、回路基板４を連結している。
【００８４】
側壁８３Ａ側の対向壁９０は、底プレート８２側から上面プレート８１側に向かって、側壁８３Ａである垂直壁８３ｂとの間隔を狭くする傾斜面として、底プレート８１側の片側を連結プレート９２に連結している。すなわち、図１７と図１８に示す側壁８３Ａ側の対向壁９０は、上面プレート８１に向かって、その内幅が広くなる傾斜面としている。傾斜面である側壁８３Ａ側の対向壁９０は、内幅が広くなる上面プレート８１側に、回路基板４を連結している。ただ、側壁８３Ａ側の端面壁８３Ｂは、必ずしも傾斜面とする必要はなく、垂直面とすることも湾曲面とすることもできる。
【００８５】
絶縁ホルダー６３は、電池側の対向壁９１と側壁８３Ａ側の対向壁９０の内側に、連結プレート９２と平行な姿勢で回路基板４を連結している。回路基板４を定位置に配置するために、電池側の対向壁９１と側壁８３Ａ側の対向壁９０は、図１７ないし図１９に示すように、回路基板４の両側に位置して、回路基板４の表面よりも突出する一対の保持リブ３４を設けて、これらの保持リブ３４の対向する内側に段差部３５と係止フック３６とを設けている。
【００８６】
（リード板）
さらに、内蔵電池１は、図１９ないし図２２に示すように、正負の端面電極を一対のリード板７１を介して回路基板４に連結している。一対のリード板７１は、端面電極に接続される接続部と、この接続部から引き出されて回路基板４に接続される接続片７１ａとを備える。これらのリード板７１は、絶縁ホルダー６３の両端に配置されて、接続部が内蔵電池１の端面電極に接続されると共に、接続片７１ａを、絶縁ホルダー６３に設けたスリット孔３８に通過させて回路基板４に接続している。
【００８７】
（出力コネクタ、入力コネクタ）
出力コネクタ８と入力コネクタ１８は、回路基板４に固定されて、内蔵電池１と垂直壁８３ｂの間に設けている放熱スペース８６に配置される。図１９と図２０は、出力コネクタ８であるＵＳＢコネクタ８Ａと入力コネクタ１８であるミニ又はマイクロＵＳＢコネクタ１８Ａとを定位置に配置する状態を示している。これ等の図に示す回路基板４は、一端部には標準ＵＳＢコネクタである出力コネクタ８を、他端部にはミニ又はマイクロＵＳＢコネクタ１８Ａである入力コネクタ１８を固定している。出力コネクタ８と入力コネクタ１８は、回路基板４の両端部にあって、ケーシング６２のコネクタ窓２８を貫通するＵＳＢプラグが挿入される。ＵＳＢコネクタ８Ａは、回路基板４にハンダ付けして固定される。ＵＳＢコネクタ８Ａは、複数の接続ピンを回路基板４に挿入して物理的に連結し、この状態で接続ピンを回路基板４の導電部にハンダ付けして回路基板４に固定し、また電気接続される。
【００８８】
さらに、図１８ないし図２２に示すＵＳＢコネクタ８Ａは、ＵＳＢプラグが挿入される長方形の挿入部の短辺側の一辺が、回路基板４の表面と対向する姿勢となるように回路基板４に固定している。すなわち、この回路基板４は、標準ＵＳＢコネクタであるＵＳＢコネクタ８Ａの長辺側の一辺が側壁８３Ａである垂直壁８３ｂと平行な姿勢となるように、ＵＳＢコネクタ８Ａを固定している。この構造は、図１８に示すように、内蔵電池１と側壁８３Ａである垂直壁８３ｂとの間にできる放熱スペース８６を狭くして、いいかえると全体の外形をよりコンパクトにしながら、標準ＵＳＢコネクタであるＵＳＢコネクタ８Ａを定位置に配置できる。回路基板４に固定されるＵＳＢコネクタ８Ａは、絶縁ホルダー６３に設けている嵌着凹部９７に案内され、絶縁ホルダー６３で定位置に保持される。絶縁ホルダー６３は、ＵＳＢコネクタ８Ａを案内する嵌着凹部９７を設けて、ここにＵＳＢコネクタ８Ａを配置している。
【符号の説明】
【００８９】
１…内蔵電池                １Ａ…円筒形電池
２…ケーシング              ２Ａ…上ケース
２Ｂ…下ケース
３…絶縁ホルダー
４…回路基板
５…受電コイル
６…シールドプレート
７…クッション材
８…出力コネクタ            ８Ａ…ＵＳＢコネクタ
９…電池組立
１０…バッテリパック
１１…リード板              １１Ａ…第１のリード板
１１Ｂ…第２のリード板
１１ａ…接続片
１２…操作部
１３…止ネジ
１４…ラベル
１５…絶縁シート
１６…押しボタンスイッチ
１７…発光ダイオード
１８…入力コネクタ          １８Ａ…ミニ又はマイクロＵＳＢコネクタ
１９…温度センサ            １９Ａ…温度検出部
１９Ｂ…リード線
２１…上面プレート          ２１ａ…連結ボス
２１ｂ…嵌着凸部
２１ｃ…スイッチ窓
２１ｄ…透光部
２２…底プレート            ２２ａ…挿入ボス
２２ｂ…挿入凹部
２２ｃ…位置決めボス
２２ｄ…円形凹部
２３…周壁                  ２３Ａ…側壁
２３Ｂ…端面壁
２５…収納スペース
２６…放熱スペース
２８…コネクタ窓
３１…対向壁                ３１Ａ…平面部
３１Ｂ…湾曲部
３１ｂ…嵌着凹部
３２…連結プレート          ３２ａ…位置決め穴
３２ｂ…ガイドボス 
３２ｃ…支持ボス
３４…保持リブ
３５…段差部
３６…係止フック
３７…嵌着凹部
３８…スリット孔
３９…引き出し穴
４０…制御回路
４１…充電台検出部
４２…外部電源検出部
４３…充電選択部
４４…スイッチ
４５…スイッチ
４６…放電スイッチ
４７…保護回路
４８…メモリ
４９…残容量検出回路
５０…充電回路
５１…整流回路
５２…平滑回路              ５２Ａ…平滑コンデンサー
５３…充電制御回路
５４…並列コンデンサー
５５…信号スイッチ
５６…直列コンデンサー
５７…サブ充電回路
５８…ＤＣ／ＤＣコンバータ
６０…バッテリパック
６２…ケーシング            ６２Ａ…上ケース
６２Ｂ…下ケース
６３…絶縁ホルダー
６９…電池組立
７１…リード板              ７１ａ…接続片
８１…上面プレート          ８１ａ…連結ボス
８１ｃ…スイッチ窓
８２…底プレート            ８２ａ…挿入ボス
８２ｂ…挿入凹部
８２ｃ…位置決めボス
８２ｄ…円形凹部
８２ｅ…円形突出部
８３…周壁                  ８３Ａ…側壁
８３ａ…湾曲壁
８３ｂ…垂直壁
８３Ｂ…端面壁
８５…収納スペース
８６…放熱スペース
９０…対向壁
９１…対向壁                ９１Ａ…平面部
９１Ｂ…湾曲部
９２…連結プレート
９３…端面プレート
９７…嵌着凹部
１０１…交流電源
１０２…ケーシング
１０５…送電コイル
１０６…載せプレート
１０７…図形
１０９…ＡＣアダプタ
１１０…充電台
１２０…外部電源
１３０…携帯電子機器
２００…バッテリパック
２０１…内蔵電池
２０２…ケーシング
２０５…受電コイル
２９０…充電台
【図１】
2012221854.tif 000003
【図２】
2012221854.tif 000004
【図３】
2012221854.tif 000005
【図４】
2012221854.tif 000006
【図５】
2012221854.tif 000007
【図６】
2012221854.tif 000008
【図７】
2012221854.tif 000009
【図８】
2012221854.tif 000010
【図９】
2012221854.tif 000011
【図１０】
2012221854.tif 000012
【図１１】
2012221854.tif 000013
【図１２】
2012221854.tif 000014
【図１３】
2012221854.tif 000015
【図１４】
2012221854.tif 000016
【図１５】
2012221854.tif 000017
【図１６】
2012221854.tif 000018
【図１７】
2012221854.tif 000019
【図１８】
2012221854.tif 000020
【図１９】
2012221854.tif 000021
【図２０】
2012221854.tif 000022
【図２１】
2012221854.tif 000023
【図２２】
2012221854.tif 000024
【手続補正書】
【提出日】平成24年5月23日(2012.5.23)
【手続補正１】
【補正対象書類名】明細書
【補正対象項目名】全文
【補正方法】変更
【補正の内容】
【発明の詳細な説明】
【技術分野】
【０００１】
本発明は、充電できる内蔵電池と、この内蔵電池を磁気誘導作用で充電する充電機能とを備え、さらに外部に接続される電子機器に電力を供給する出力コネクタを備える携帯式の電源に最適なバッテリパックに関する。
【背景技術】
【０００２】
電磁誘導の作用で送電コイルから受電コイルに電力を搬送して、内蔵する電池を充電するバッテリパックとこのバッテリパックを充電する充電台は開発されている。（特許文献１）
【０００３】
特許文献１に記載される充電装置は、充電台に、交流電源で励磁される送電コイルを内蔵し、バッテリパックには送電コイルに電磁結合される受電コイルを内蔵している。バッテリパックは、受電コイルに誘導される交流を整流し、これを電池に供給して充電する回路も内蔵している。この構造によると、充電台の上にバッテリパックを載せて、無接点でバッテリパックの電池を充電できる。
【先行技術文献】
【特許文献】
【０００４】
【特許文献１】特開２０１０−９８８６１号公報
【発明の概要】
【発明が解決しようとする課題】
【０００５】
磁気誘導の作用を利用して無接点で二次電池を充電する充電システムは、接点を接続することなく充電台に載せて便利に充電できる。また、接点の規格を一致させることなく、無接点で電力搬送して二次電池を充電できることから、不特定多数のユーザーに使用される、コインを投入して所定の時間充電できるコイン充電器などに特に便利に使用できる。
【０００６】
図１は、特許文献１のバッテリパック２００を充電台２９０にセットした状態を示す断面図である。このバッテリパック２００は、ケーシング２０２の底に受電コイル２０５を配置して、この受電コイル２０５の上に角形の内蔵電池２０１を積層するように内蔵している。このバッテリパック２００は、充電されるにしたがって温度が高くなる内蔵電池２０１が、受電コイル２０５の発熱や回路基板の発熱でさらに加温されて温度上昇する欠点がある。内蔵電池２０１の発熱を少なくするために、充電電流を小さく設定すると充電に時間がかかって速やかに充電できなくなる。
【０００７】
本発明は、さらにこのような欠点を解決することを目的に開発されたものである。本発明の重要な目的は、携帯電話などの携帯電子機器に接続してこれらを充電するのに使用でき、かつ内蔵電池を磁気誘導作用で電力搬送することで無接点で充電して、接触不良を皆無にしながら確実に充電でき、さらに、充電される二次電池の温度上昇を少なくしながら速やかに充電できる、出力コネクタを備えるバッテリパックを提供することにある。
【課題を解決するための手段及び発明の効果】
【０００８】
本発明の出力コネクタを備えるバッテリパックは、電磁誘導作用で電力を搬送して充電する送電コイル１０５を有する充電台１１０に載せられて、送電コイル１０５から電力を受け取る受電コイル５と、この受電コイル５に誘導される電力で充電される内蔵電池１と、この内蔵電池１の出力を外部に出力する電源用の出力コネクタ８と、受電コイル５に誘導される電力で内蔵電池１を充電する充電回路５０を実装する回路基板４と、この回路基板４と受電コイル５と内蔵電池１とを内蔵するケーシング２、６２とを備えている。ケーシング２、６２は、充電台１１０に載せられる平面状の底プレート２２、８２と、この底プレート２２、８２から離して対向する姿勢に配置している上面プレート２１、８１と、底プレート２２、８２及び上面プレート２１、８１の両側縁の側壁２３Ａ、８３Ａと両端縁の対向壁２３Ｂ、８３Ｂとからなる周壁２３、８３を有し、底プレート２２、８２と上面プレート２１、８１と周壁２３、８３とで閉鎖構造の収納スペース２５、８５を内部に設けて、この収納スペース２５、８５に内蔵電池１と受電コイル５と回路基板４とを配置している。内蔵電池１は円筒形電池１Ａで、この円筒形電池１Ａを収納スペース２５、８５に、底プレート２２、８２と平行な姿勢であって側壁２３Ａ、８３Ａの内側に配置している。受電コイル５は平面コイルで、底プレート２２、８２の内面であって収納スペース２５、８５の底部に配設している。バッテリパックは、回路基板４を上面プレート２１、８１の内面に受電コイル５から離して配設して、回路基板４と受電コイル５と内蔵電池１とで囲まれる領域に放熱スペース２６、８６を設けている。
【０００９】
以上のバッテリパックは、出力コネクタに携帯電話などの携帯電子機器を接続してこれらを充電できる。また、内蔵電池を磁気誘導作用で電力搬送することで無接点で充電して、接触不良を皆無にしながら確実に充電できる。それは、内蔵している受電コイルを充電台の送電コイルに電磁結合して電力搬送して、内蔵電池を充電するからである。さらに、以上のバッテリパックは、充電される二次電池の温度上昇を少なくしながら、速やかに充電できる特徴がある。それは、内蔵電池を円筒形電池とし、この円筒形電池を底プレートと平行な姿勢としてケーシングの周壁内側に配置して収納スペースに配置し、さらに、平面コイルの受電コイルを底プレート内面の収納スペースの底部に配設し、さらにまた、回路基板を上面プレートの内面に受電コイルから離して配設して、回路基板と受電コイルと内蔵電池とで囲まれる領域に放熱スペースを設けているからである。この構造のバッテリパックは、受電コイルや回路基板の発熱を放熱スペースに放熱でき、また、円筒形電池の内蔵電池と受電コイルとの熱結合を少なくして、受電コイルや回路基板の発熱による内蔵電池の温度上昇を有効に防止できる。内蔵電池の温度上昇を少なくできることは、内蔵電池の温度による劣化を少なくし、さらに、これをより大きな電流で急速充電して、より短時間で速やかに満充電できる特徴も実現する。
【００１０】
本発明の出力コネクタを備えるバッテリパックは、受電コイル５と円筒形電池１Ａとの間にクッション材７を配置することができる。
以上のバッテリパックは、クッション材でもって受電コイルを底プレートの内面に密着できる。このため、バッテリパックを充電台にセットする状態で、受電コイルを送電コイルにより接近させて、効率よく内蔵電池を充電できる。また、クッション材は、受電コイルと内蔵電池との熱伝導を遮断するので、発熱する受電コイルによる内蔵電池の温度上昇を理想的な状態で遮断できる特徴も実現する。
【００１１】
本発明の出力コネクタを備えるバッテリパックは、回路基板４を、内蔵電池１である円筒形電池１Ａの最高位置の接線位置よりも下方に配置することができる。
以上のバッテリパックは、回路基板の上面に押しボタンスイッチや電子部品などを実装して、ケーシングの収納スペースに配置できる。
【００１２】
本発明の出力コネクタを備えるバッテリパックは、平面コイルである受電コイル５を、内蔵電池１である円筒形電池１Ａの最低位置の接線位置よりも外側に配設することができる。
以上のバッテリパックは、内蔵電池である円筒形電池から受電コイルを離して配置して、受電コイルによる内蔵電池の温度上昇をより少なくできる。
【００１３】
本発明の出力コネクタを備えるバッテリパックは、ケーシング２の収納スペース２５の両側に一対の内蔵電池１を配置して、一対の内蔵電池１の間に放熱スペース２６を設けることができる。
以上のバッテリパックは、２本の内蔵電池の間に放熱スペースを設けるので、２本の内蔵電池で容量を大きくしながら、ケーシングの外形を小さくできる。
【００１４】
本発明の出力コネクタを備えるバッテリパックは、ケーシング２の収納スペース２５の両側に一対の内蔵電池１を配置して、一対の内蔵電池１の最低位置となる頂部の間に受電コイル５を配置することができる。
以上のバッテリパックは、２本の内蔵電池の頂部の間に受電コイルを配置するので、ケーシングの厚さを大きくすることなく、収納スペースの底部に受電コイルトを収納できる。
【００１５】
本発明の出力コネクタを備えるバッテリパックは、ケーシング６２の収納スペース８５の片側に１本の内蔵電池１を配置して、内蔵電池１の側部に放熱スペース８６を設けることができる。
以上のバッテリパックは、受電コイルと回路基板と内蔵電池と片側の側壁とで囲まれる領域を放熱スペースとするので、放熱スペースをより効率よく放熱できる。それは、放熱スペースの一部に側壁が位置して、放熱スペース内の熱を側壁から外部に放熱できるからである。
【００１６】
本発明の出力コネクタを備えるバッテリパックは、回路基板４の上面に押しボタンスイッチ１６を固定して、ケーシング２、６２の上面プレート２１、８１が、押しボタンスイッチ１６の上方に、押しボタンスイッチ１６をオンオフに切り換える操作部１２を設けることができる。
以上のバッテリパックは、上面プレートに押しボタンスイッチの操作部を設けているので、ユーザーが便利に押しボタンスイッチを操作できる。
【図面の簡単な説明】
【００１７】
【図１】本出願人が先に出願した携帯電子機器の充電装置の垂直断面図である。
【図２】本発明の一実施例にかかるバッテリパックを充電台にセットする状態を示す斜視図である。
【図３】本発明の一実施例にかかるバッテリパックを充電台にセットした状態を示すブロック図である。
【図４】本発明の実施例１にかかるバッテリパックの斜視図である。
【図５】図４に示すバッテリパックを下側から見た背面斜視図である。
【図６】図４に示すバッテリパックのＶＩ−ＶＩ線断面図である。
【図７】図４に示すバッテリパックのＶＩＩ−ＶＩＩ線断面図である。
【図８】図４に示すバッテリパックのＶＩＩＩ−ＶＩＩＩ線断面図である。
【図９】図４に示すバッテリパックのＩＸ−ＩＸ線断面図である。
【図１０】図４に示すバッテリパックの分解斜視図である。
【図１１】図１０に示すバッテリパックを下側から見た分解斜視図である。
【図１２】図１０に示すバッテリパックの内蔵電池と絶縁ホルダーの連結状態を示す分解斜視図である。
【図１３】図１２に示すバッテリパックを下側から見た分解斜視図である。
【図１４】本発明の一実施例にかかるバッテリパックのブロック図である。
【図１５】本発明の実施例２にかかるバッテリパックの斜視図である。
【図１６】図１５に示すバッテリパックを下側から見た背面斜視図である。
【図１７】図１５に示すバッテリパックのＸＶＩＩ−ＸＶＩＩ線断面図である。
【図１８】図１５に示すバッテリパックのＸＶＩＩＩ−ＸＶＩＩＩ線断面図である。
【図１９】図１５に示すバッテリパックの分解斜視図である。
【図２０】図１９に示すバッテリパックを下側から見た分解斜視図である。
【図２１】図２０に示すバッテリパックの内蔵電池と絶縁ホルダーの連結状態を示す分解斜視図である。
【図２２】図２１に示すバッテリパックを背面から見た分解斜視図である。
【発明を実施するための形態】
【００１８】
以下、本発明の実施例を図面に基づいて説明する。ただし、以下に示す実施例は、本発明の技術思想を具体化するための出力コネクタを備えるバッテリパックを例示するものであって、本発明は出力コネクタを備えるバッテリパックを以下のものに特定しない。さらに、この明細書は、特許請求の範囲に示される部材を、実施例の部材に特定するものでは決してない。
【００１９】
本発明のバッテリパックは、図２と図３に示すように、磁気誘導作用で電力を搬送する充電台１１０に載せて充電され、さらに、外部電源１２０に接続されて充電される内蔵電池１を備えている。さらに、充電された内蔵電池１の電力を外部に出力する電源用の出力コネクタ８も備えている。
【００２０】
（充電台）
磁気誘導作用でバッテリパックの内蔵電池１を充電する充電台１１０は、図２と図３に示すように、バッテリパック１０に磁気誘導作用で電力を供給する送電コイル１０５を内蔵している。バッテリパック１０は、この送電コイル１０５に電磁結合される受電コイル５と、この受電コイル５に誘導される交流を直流に変換して電池を充電する充電機能を備える。
【００２１】
図２と図３に示す充電台１１０は、送電コイル１０５に交流電力を供給する交流電源１０１と、この交流電源１０１と送電コイル１０５とを内蔵する外装ケース１０２とを備えている。外装ケース１０２は、バッテリパック１０を脱着自在に載せる平面状の載せプレート１０６を上面に設けている。図２の充電台１１０は、載せプレート１０６の外形をバッテリパック１０の外形よりも大きくしている。この充電台１１０は、バッテリパック１０を安定して載せプレート１０６の上にセットできる。充電台１１０は、載せプレート１０６の下面に送電コイル１０５を配置している。送電コイル１０５は、載せプレート１０６の下面に沿うように固定され、あるいは、載せプレートの下面に沿って移動するように配置される。
【００２２】
送電コイル１０５を固定している外装ケース１０２は、送電コイル１０５の位置、いいかえると、バッテリパック１０をセットする位置を表示して、送電コイル１０５から受電コイル５に効率よく磁気誘導作用で電力を搬送する。図２の載せプレート１０６は、バッテリパック１０を載せる位置を示すセット位置を図形１０７で表示して、バッテリパック１０を正常なセット位置に配置するようにしている。図の外装ケース１０２は、載せプレート１０６の上面に、バッテリパック１０の外形を示す図形１０７を印刷してセット位置を表示している。この充電台１１０は、図形１０７の外形に合わせてバッテリパック１０をセットして、正常なセット位置に配置できる。さらに、図に示す載せプレート１０６は、複数種のバッテリパック１０を正しいセット位置に配置できるように、複数のセット位置を図形１０７で印刷して表示している。この充電台１１０は、種々のバッテリパック１０を、正確な位置にセットできる特長がある。
【００２３】
送電コイルが載せプレートの下面に沿って移動する充電台は、図示しないが、載せプレートの上にセットされるバッテリパックの受電コイルの位置を検出して、受電コイルに接近するように送電コイルを移動させる。この構造の充電台は、バッテリパックをセットする位置を特定しない。載せプレートのあらゆる位置にセットされるバッテリパックの受電コイルに送電コイルを接近して効率よく磁気誘導作用で電力搬送できるからである。
【００２４】
送電コイル１０５は、載せプレート１０６の下に水平に配置できるように、渦巻き状に巻かれた平面状のコイルとしている。送電コイルは、プラスチック製の載せプレートにインサート成形して固定することができる。送電コイルを載せプレートにインサート成形する充電台は、全体を薄くできる。また、送電コイルをしっかりと外装ケースに固定しながら、載せプレートの表面に接近するように送電コイルを配置して、受電コイルとの間隔を狭くして、効率よく交流電力を受電コイルに伝送できる。送電コイルのインダクタンスは、交流電力の周波数により最適値に設定される。たとえば、供給される交流電力の周波数を１００ｋＨｚ〜５００ｋＨｚとする送電コイルは、インダクタンスを数十μＨないし数ｍＨとする。ただし、充電台は、送電コイルに供給する交流電力の周波数をこの範囲には特定しない。送電コイルには、１００ｋＨｚよりも低く、あるいは５００ｋＨｚよりも高い周波数の交流電力を供給して、バッテリパックに磁気誘導作用で電力搬送できるからである。送電コイルのインダクタンスは、交流電力の周波数が高くなると小さく、周波数が低くなると大きくして、磁気誘導作用で効率よく受電コイルに電力搬送できる。
【００２５】
交流電源１０１は、入力される電力を送電コイル１０５に供給する周波数の交流に変換して出力する。交流電源１０１は、ＡＣアダプタ１０９から直流が入力され、あるいはＵＳＢコネクタなどのコネクタから直流が入力される。また、交流電源は、交流の商用電源を入力して、これを送電コイル１０５に供給する周波数の交流に変換して出力することもできる。交流電源１０１は、入力される直流や交流を所定の周波数と電圧の交流に変換して、送電コイル１０５に出力する。ＡＣアダプタ１０９やコネクタから直流電力を入力する交流電源１０１は、ＤＣ／ＡＣインバータで直流を交流に変換して出力する。商用電源の交流を入力する交流電源は、交流を整流回路で直流に変換し、整流回路から出力される直流をＤＣ／ＡＣインバータで交流に変換して送電コイル１０５に出力する。
【００２６】
交流電源１０１は、バッテリパック１０がセットされたことを検出し、あるいはユーザーが電源スイッチ（図示せず）をオンに切り換えて、送電コイル１０５に交流電力を出力する。バッテリパック１０を検出する交流電源１０１は、バッテリパック１０に設けている受電コイル５の検出回路（図示せず）を備えている。さらに、交流電源１０１は、バッテリパック１０の内蔵電池１が満充電されたことを検出して、送電コイル１０５の交流電力の出力を停止する。交流電源１０１は、送電コイル１０５の電流変化を検出して、内蔵電池１の満充電を検出する。バッテリパック１０の内蔵電池１が満充電されると、受電コイル５が無負荷となって受電コイル５の電流がほぼ遮断された状態となる。受電コイル５の電流がほぼ遮断されると、送電コイル１０５の電流も減少する。したがって、交流電源１０１は送電コイル１０５の電流が設定値よりも小さくなったことを検出して、バッテリパック１０の内蔵電池１が満充電されたことを検出できる。
【００２７】
バッテリパック１０は、図２ないし図１４に示すように、電磁誘導作用で電力を搬送して充電する送電コイル１０５を有する充電台１１０に載せられて、送電コイル１０５から電力を受け取る受電コイル５と、この受電コイル５に誘導される電力で充電される内蔵電池１と、この内蔵電池１の出力を外部に出力する電源用の出力コネクタ８と、受電コイル５に誘導される電力で内蔵電池１を充電する充電回路５０を実装する回路基板４と、この回路基板４と受電コイル５と内蔵電池１とを内蔵するケーシング２とを備える。さらに、バッテリパック１０は、外部電源１２０に接続されて充電されるサブ充電回路５７も内蔵している。
【００２８】
（ケーシング）
ケーシング２は、プラスチック製の上ケース２Ａと下ケース２Ｂを連結して内部に収納スペース２５を設けている。図４ないし図１３のケーシング２は、充電台１１０に載せられる平面状の底プレート２２と、この底プレート２２から離して対向する姿勢に配置している上面プレート２１と、底プレート２２及び上面プレート２１両側縁の側壁２３Ａと両端縁の端面壁２３Ｂとからなる周壁２３を有し、底プレート２２と上面プレート２１と周壁２３とで閉鎖構造の収納スペース２５を内部に設けている。
【００２９】
底プレート２２は下ケース２Ｂに、上面プレート２１は上ケース２Ａに一体的に成形して設けている。さらに、上ケース２Ａは、周壁２３の上半分を一体的に成形して設けており、下ケース２Ｂは周壁２３の下半分を一体的に成形して設けている。ケーシング２は、上ケース２Ａと下ケース２Ｂを、周壁２３の境界で連結して、内部に収納スペース２５を設け、この収納スペース２５に、内蔵電池１と受電コイル５と回路基板４とを配置している。
【００３０】
ケーシング２は、収納スペース２５の内部に放熱スペース２６を設けるように、円筒形電池１Ａである内蔵電池１と、平面コイルの受電コイル５と、回路基板４とを収納している。放熱スペース２６を設けるために、円筒形電池１Ａの内蔵電池１は、底プレート２２と平行な姿勢であって側壁２３Ａの内側に配置され、平面コイルの受電コイル５は底プレート２２内面であって収納スペース２５の底部に配設され、回路基板４は、上面プレート２１の内面に受電コイル５から離して配設している。すなわち、収納スペース２５の底部に受電コイル５を、上部に離して回路基板４を、その側部に円筒形電池１Ａを配置して、受電コイル５と回路基板４と内蔵電池１とで囲まれる領域を放熱スペース２６としている。
【００３１】
（内蔵電池）
内蔵電池１は円筒形電池１Ａのリチウムイオン電池である。リチウムイオン電池は、ラップトップ型のマイクロコンピュータの電源などの種々の用途に多用されている１８６５０の円筒形電池１Ａが使用できる。ただし、本発明のバッテリパックは、内蔵電池をこのタイプに特定するものではない。内蔵電池１をリチウムイオン電池とするバッテリパック１０は、バッテリパック１０の外形を小さくして充電できる容量を大きくできる。さらに、内蔵電池には、リチウムイオン電池以外の円筒形電池、たとえば、ニッケル水素電池などの充電できる全ての電池を使用できる。
【００３２】
（受電コイル）
受電コイル５は、線材を平面に渦巻き状に巻いた平面コイルである。この平面コイルの受電コイル５は、渦巻きを１層又は複数層に巻いて、全体の形状を円板状として外形を円形としている。受電コイル５は、回路基板４側の表面にシールドプレート６を積層している。シールドプレート６は、受電コイル５に誘導される交流磁界から、回路基板４と内蔵電池１とをシールドしている。
【００３３】
（クッション材）
図７ないし図１３のバッテリパック１０は、受電コイル５と円筒形電池１Ａとの間にクッション材７を配置している。クッション材７は、受電コイル５を底プレート２２の内面に密着させると共に、受電コイル５と内蔵電池１との熱伝導を遮断する。クッション材７に押されて、底プレート２２に密着される受電コイル５は、バッテリパック１０を充電台１１０にセットする状態で送電コイル１０５により接近して、効率よく内蔵電池１を充電する。受電コイル５と内蔵電池１との熱伝導を遮断するクッション材７は、発熱する受電コイル５による内蔵電池１の温度上昇を理想的な状態で遮断する。ただ、受電コイルは、接着剤や両面テープ等を介して、底プレートの内面に接着して固定することもできる。
【００３４】
（回路基板）
回路基板４は、図７ないし図９に示すように、内蔵電池１である円筒形電池１Ａの最高位置の接線位置よりも下方に配置して、回路基板４の上面に押しボタンスイッチ１６や電子部品などを実装している。さらに、平面コイルの受電コイル５は、内蔵電池１である円筒形電池１Ａの最低位置の接線位置よりも外側に配設している。このバッテリパック１０は、内蔵電池１である円筒形電池１Ａから受電コイル５を離して配置して、受電コイル５による内蔵電池１の温度上昇をより少なくできる。
【００３５】
（出力コネクタ、入力コネクタ）
さらに、バッテリパック１０は、図３ないし図１４に示すように、外部に接続される携帯電子機器１３０に電力を供給する出力コネクタ８を備えている。図のバッテリパック１０は、出力コネクタ８としてＵＳＢコネクタ８Ａを備える。出力コネクタ８であるＵＳＢコネクタ８Ａは、標準ＵＳＢコネクタであり、操作部１２を押圧したとき、電力を出力する。ただ、出力コネクタはＵＳＢコネクタには特定されない。出力コネクタには、外部に接続される携帯電子機器に電力を供給できる、ＵＳＢコネクタ以外のコネクタ、例えば、携帯電話に接続される電源端子を接続するコネクタ等を使用することもできる。さらに、図のバッテリパック１０は、内蔵電池１を充電するための入力コネクタ１８も備える。図の出力コネクタ８と入力コネクタ１８は、回路基板４に固定されて、収納スペース２５の定位置に配置している。
【００３６】
回路基板４は、図１４に示すように、受電コイル５に誘導される交流を直流に変換して内蔵電池１を充電する充電回路５０と、外部電源１２０から入力される電力で内蔵電池１を充電するサブ充電回路５７と、充電された内蔵電池１の電圧を一定の電圧に安定化して出力するＤＣ／ＤＣコンバータ５８と、内蔵電池１の充電状態と出力コネクタ８への放電状態とを制御する制御回路４０とを実装している。
【００３７】
（充電回路）
充電回路５０は、受電コイル５に誘導される交流を整流して直流に変換する整流回路５１と、この整流回路５１で整流された脈流を平滑化する平滑回路５２の平滑コンデンサー５２Ａと、この平滑回路５２で平滑化された直流で内蔵電池１を充電する充電制御回路５３とを備えている。充電回路５０は、内蔵電池１を好ましい電圧と電流で充電する。内蔵電池１をリチウムイオン電池とするバッテリパック１０の充電回路５０は、充電制御回路５３を、内蔵電池１を一定の電圧と電流で充電する定電圧・定電流回路とする。内蔵電池をニッケル水素電池などのアルカリ電池とするバッテリパックは、充電制御回路を定電流回路とする。
【００３８】
（サブ充電回路）
サブ充電回路５７は、外部電源１２０から入力される電力で内蔵電池１を充電する。内蔵電池１をリチウムイオン電池とするバッテリパックにあっては、このサブ充電回路５７が定電圧・定電流充電して内蔵電池１を充電する。また、内蔵電池をニッケル水素電池やニッケルカドミウム電池とするバッテリパックにあっては、サブ充電回路が定電流充電して内蔵電池を充電する。さらに、サブ充電回路５７は、内蔵電池１の満充電を検出して充電を停止する。図に示すバッテリパック１０は、外部電源１２０からサブ充電回路５７に電力を入力する入力コネクタ１８を備えている。図に示す入力コネクタ１８は、ミニ又はマイクロＵＳＢコネクタ１８Ａとしている。ただ、入力コネクタは、外部電源から電力を入力できるミニ又はマイクロＵＳＢコネクタ以外のコネクタ、例えば、ＡＣアダプタに接続されるピンプラグを接続するコネクタ等を使用することもできる。
【００３９】
サブ充電回路５７は、入力コネクタ１８に外部電源１２０が接続されると、このことを入力電流、または入力電圧から検出できる。外部電源１２０が接続されると、外部電源１２０から電力が供給されるからである。サブ充電回路５７は、外部電源１２０から電力が入力される状態において、外部電源１２０から供給される電力で内蔵電池１を充電する。ただ、バッテリパックは、充電専用の入力コネクタを設けることなく、出力コネクタを、外部から電力を入力するコネクタと外部に電力を出力するコネクタとに併用することもできる。このバッテリパックは、たとえば、出力コネクタを、切換スイッチを介してサブ充電回路とＤＣ／ＤＣコンバータに接続し、この切換スイッチを制御して出力コネクタをサブ充電回路とＤＣ／ＤＣコンバータのいずれかに接続する。
【００４０】
さらに、このバッテリパックは、入力コネクタ１８に外部電源１２０が接続されて、かつ充電台１１０にセットされる状態において、外部電源１２０と充電台１１０のいずれか一方で内蔵電池１を充電する構造としている。図１４の制御回路４０は、バッテリパック１０が充電台１１０にセットされたことを検出する充電台検出部４１と、外部電源１２０の接続又は充電を検出する外部電源検出部４２と、充電台検出部４１と外部電源検出部４２の検出信号で、内蔵電池１の充電を充電台１１０と外部電源１２０のいずれかに選択する充電選択部４３を備える。
【００４１】
制御回路４０は、バッテリパック１０が充電台１１０にセットされ、かつ外部電源１２０の接続状態において、充電選択部４３でもって、充電台１１０と外部電源１２０のいずれか一方で内蔵電池１を充電するように制御する。制御回路４０は、好ましくは、バッテリパック１０が充電台１１０にセットされて、外部電源１２０が接続される状態、すなわち、充電台１１０と外部電源１２０の両方で内蔵電池１を充電できる状態にあっては、充電台１１０から電力搬送される電力で内蔵電池１を充電することなく、外部電源１２０から供給される電力のみで内蔵電池１を充電する。ただし、バッテリパック１０が充電台１１０にセットされて、外部電源１２０が接続される状態において、外部電源１２０から供給される電力で内蔵電池１を充電することなく、充電台１１０から電力搬送される電力でのみで内蔵電池１を充電することもできる。この場合は、スイッチ４４をオフに制御してサブ充電回路５７からの電力を遮断する。
【００４２】
制御回路４０の充電台検出部４１は、バッテリパック１０が充電台１１０にセットされ、あるいは充電台１１０で充電される状態を検出する。この制御回路４０は、受電コイル５の出力を直流に変換する整流回路５１の出力を電源電圧として動作し、内蔵電池１から供給される電力では動作しない。すなわち、内蔵電池１は、制御回路４０を動作させる電力を消費せず、充電台１１０から磁気誘導作用で供給される電力で動作する。このため、制御回路４０は、バッテリパック１０が充電台１１０にセットされる状態で動作状態となる。充電台検出部４１は、制御回路４０が動作状態になったことで、バッテリパック１０が充電台１１０にセットされたことを検出する。この充電台検出部４１は、簡単な回路構成で充電台１１０にセットされたことを検出できる。ただし、充電台検出部は、充電台から送信される信号を受信して、充電台にセットされたことを検出することもできる。
【００４３】
外部電源検出部４２は、外部電源１２０の接続を検出し、あるいは外部電源１２０による内蔵電池１の充電を検出する。外部電源検出部４２は、無接点充電を停止する状態で、外部電源１２０の接続や充電を検出する。無接点充電の停止は、充電回路５０と内蔵電池１との間に接続しているスイッチ４５をオフに切り換えて実現される。制御回路４０は、外部電源１２０の接続や充電を検出するタイミングにおいて、スイッチ４５をオフに保持して無接点充電を停止する。
【００４４】
制御回路４０は、充電台検出部４１で充電台１１０にセットされたことを検出し、さらに外部電源検出部４２でもって、外部電源１２０の接続や充電を検出すると、充電選択部４３でもって、充電台１１０に充電停止信号を伝送して、充電台１１０の充電を停止して、外部電源１２０で内蔵電池１を充電する。制御回路４０は、バッテリパック１０が充電台１１０にセットされない状態で、外部電源１２０が接続されると、外部電源１２０で内蔵電池１を充電する。バッテリパック１０が充電台１１０にセットされない状態では、外部電源検出部４２で外部電源１２０の接続や充電を検出する必要はない。内蔵電池１を理想的な状態で外部電源１２０で充電できるからである。バッテリパック１０が充電台１１０にセットされる状態に限って、外部電源検出部４２は外部電源１２０の接続や充電を検出するので、外部電源検出部４２は、バッテリパック１０が充電台１１０にセットされない状態で、外部電源１２０の接続や充電を検出する必要はない。したがって、充電台１１０から電力搬送される電力で制御回路４０を動作状態とするバッテリパック１０は、外部電源１２０の接続や充電を検出する状態に限って、動作状態となって、外部電源１２０の接続や充電を検出する。ただ、制御回路４０は、つねに充電台検出部４１と外部電源検出部４２とを動作状態として、充電台１１０へのセットと、外部電源１２０の接続や充電を検出することもできる。この制御回路４０は、充電台１１０にセットされて外部電源１２０が接続されない状態では、充電台１１０で内蔵電池１を充電し、充電台１１０にセットされない状態で外部電源１２０が接続される状態では、外部電源１２０で内蔵電池１を充電する。
【００４５】
制御回路４０は、図１４において、受電コイル５と並列に接続している並列コンデンサー５４と直列に接続している信号スイッチ５５をオン状態に保持して、充電台１１０に充電停止信号を送信する。充電台１１０は、並列コンデンサー５４が受電コイル５と並列に接続されることを検出して、送電コイル１０５に交流を出力するのを停止する。また、制御回路４０は、信号スイッチ５５をオンに保持するのでなく、信号スイッチ５５を特定の状態でオンオフに切り換えて、充電台１１０に外部電源１２０の接続を伝送することもできる。充電台１１０は、信号スイッチ５５のオンオフを検出して、外部電源１２０の接続や充電を検出して、送電コイル１０５に交流を出力するのを停止する。送電コイル１０５に交流を入力しないように制御して、充電台１１０による内蔵電池１の充電を停止する回路構成は、無駄な電力消費を削減できると共に、バッテリパック１０が送電コイル１０５から出力される電力で無駄に加温される弊害も防止できる。ただ、制御回路４０は、外部電源１２０の接続や充電を検出する状態で、必ずしも送電コイル１０５に交流を出力しない状態とすることなく、送電コイル１０５に交流を出力しながら、バッテリパック１０側で内蔵電池１への充電電流を遮断するスイッチ４５をオフにして、充電台１１０による充電を停止することもできる。
【００４６】
整流回路５１は、受電コイル５に誘導される交流を整流して、制御回路４０に出力する。図のバッテリパック１０は、受電コイル５と整流回路５１の間に直列コンデンサー５６を接続しており、この直列コンデンサー５６を介して、受電コイル５に誘導される交流を整流回路５１に入力している。直列コンデンサー５６は、受電コイル５と直列共振回路を構成して、受電コイル５に誘導される交流を効率よく整流回路５１に入力する。したがって、直列コンデンサー５６の静電容量は、受電コイル５のインダクタンスで、誘導される交流の周波数に近くなるように設定される。
【００４７】
（ＤＣ／ＤＣコンバータ）
ＤＣ／ＤＣコンバータ５８は、充電された内蔵電池１の電圧を一定の電圧に安定化して出力する。図１４の回路図に示す回路基板４は、内蔵電池１とＤＣ／ＤＣコンバータ５８との間に、放電スイッチ４６を接続している。この放電スイッチ４６は、制御回路４０でオンオフに制御される。制御回路４０は、操作部１２を介して操作される押しボタンスイッチ１６から入力される信号で放電スイッチ４６をオンオフに切り変える。制御回路４０は、押しボタンスイッチ１６から一定の時間オン信号が入力されると放電スイッチ４６をオンに切り換えて、内蔵電池１の出力をＤＣ／ＤＣコンバータ５８に出力する。この状態でＤＣ／ＤＣコンバータ５８は動作状態となって、出力側に接続している出力コネクタ８に安定化された電力を供給する。制御回路４０は、出力コネクタ８に接続している携帯電子機器が外されると、出力コネクタ８から携帯電子機器が外されたことを、出力電流で検出できる。携帯電子機器が外されると出力電流が０Ａとなるからである。
【００４８】
さらに、回路基板４は、図１４に示すように、内蔵電池１の充放電を制御する保護回路４７を実装している。保護回路４７は、電池温度と電池の電圧を検出して電池の充放電をコントロールする。電池の温度は、内蔵電池１の表面に熱結合状態に固定している温度センサ１９で検出される。したがって、保護回路４７には温度センサ１９を接続している。保護回路４７は、電池の充放電電流を制限する温度を記憶するメモリ４８を備えている。メモリ４８は、電池の温度に対する許容電流を記憶している。許容電流は、その温度において電池に流すことができる最大電流であって、この電流よりも少ない電流で使用される。したがって、保護回路４７は、電池温度から電池を充放電する電流を許容電流よりも小さく制御して電池を保護する。また、保護回路４７は、電池の充放電を許容する最高温度と最低温度を記憶して、この最高温度と最低温度との間で充放電を許容するように制御することもできる。最高温度と最低温度は、電池の種類により最適温度に設定され、たとえばリチウムイオン電池においては、最高温度を約６０℃〜７０℃、最低温度を約−１０℃〜０℃とすることができる。
【００４９】
さらに、保護回路４７は、内蔵電池１の電圧を検出して充放電を制御する。この保護回路４７は、充電している電池の電圧が最高電圧まで上昇すると充電を停止し、また、放電している電池の電圧が最低電圧まで低下すると放電を停止する。図１４に示す保護回路４７は、電池温度や電池電圧の異常を検出すると、充電回路５０を制御して内蔵電池１の充電を停止し、また、放電スイッチ４６をオフに制御して内蔵電池１の放電を停止する。
【００５０】
さらに、図１４に示すバッテリパックは、内蔵電池１とＤＣ／ＤＣコンバータ５８との間に、放電スイッチ４６を接続している。この放電スイッチ４６は、制御回路４０でオンオフに制御される。制御回路４０は、押しボタンスイッチ１６から入力される信号で放電スイッチ４６をオンオフに切り変える。制御回路４０は、押しボタンスイッチ１６から一定の時間オン信号が入力されると放電スイッチ４６をオンに切り換えて、内蔵電池１の出力をＤＣ／ＤＣコンバータ５８に出力する。この状態でＤＣ／ＤＣコンバータ５８は動作状態となって、出力側に接続している出力コネクタ８に安定化された電力を供給する。制御回路４０は、出力コネクタ８に接続している携帯電子機器１３０が外されると、出力コネクタ８から携帯電子機器１３０が外されたことを、出力電流で検出できる。携帯電子機器１３０が外されると出力電流が０Ａとなるからである。
【００５１】
さらに、図１４に示すバッテリパックは、内蔵電池１の残容量を検出する残容量検出回路４９も実装している。この残容量検出回路４９は、内蔵電池１の電圧や電池の電流から残容量を演算して、発光ダイオード１７の発光色や点灯個数で残容量を表示する。この残容量検出回路４９は、押しボタンスイッチ１６からオン信号が入力されると、発光ダイオード１７を点灯して所定の時間にわたって残容量を表示する。発光ダイオード１７は、図６に示すように、回路基板４に固定しており、残容量検出回路４９に制御されて内蔵電池１の残容量を表示する。バッテリパック１０は、発光ダイオード１７の上方に位置する上面プレート２１を、透光性を有するプラスチックで製作している。さらに、図６に示すケーシング２の上面プレート２１は、発光ダイオード１７と対向する部分を薄く成形して、発光ダイオード１７から照射される光を外部に透過する透光部２１ｄを設けている。このケーシング２は、発光ダイオード１７を表出させる開口窓を設けることなく、発光ダイオード１７の発光を透過させて外部に表示できる。ただ、ケースは、開口窓を設けて発光ダイオードをケースから表出させて外部に表示することもできる。
【００５２】
さらに、充電回路は、内蔵電池１の満充電を検出して、内蔵電池１の充電を停止する。充電回路５０は、内蔵電池１の満充電を検出すると、満充電されたことを示す満充電信号を充電台１１０に伝送する。充電台１１０は、満充電信号を検出して充電を停止する。
【００５３】
［実施例１］
図４ないし図１３に示すバッテリパックは、ケーシング２の収納スペース２５に２本の内蔵電池１を配置している。ケーシング２に内蔵する２本の内蔵電池１は円筒形電池１Ａで、この円筒形電池１Ａを収納スペース２５に、底プレート２２と平行な姿勢であって側壁２３Ａの内側に配置している。このバッテリパック１０は、収納スペース２５の両側に一対の内蔵電池１を配置して、一対の内蔵電池１の間に放熱スペース２６を設けている。
【００５４】
図４ないし図１３に示すバッテリパック１０は、一対の円筒形電池１Ａと回路基板４と絶縁ホルダー３からなる電池組立９をケーシング２に内蔵している。さらに、このバッテリパック１０の電池組立９は、一対の円筒形電池１Ａを互いに平行な姿勢で所定の間隔離して、その間に放熱スペース２６ができるように絶縁材の絶縁ホルダー３で配設して、この絶縁ホルダー３でもって、回路基板４と円筒形電池１Ａと受電コイル５とを定位置に配置している。図７と図９のバッテリパック１０は、収納スペース２５の両側に配置された一対の内蔵電池１の最低位置となる頂部の間に受電コイル５を配置している。
【００５５】
（ケーシング）
ケーシング２は、その内部に電池組立９を収納している。図４ないし図１３のケーシング２は、上ケース２Ａと下ケース２Ｂからなる。上ケース２Ａに設けている上面プレート２１と、下ケース２Ｂに設けている底プレート２２は四角形で、上面プレート２１と底プレート２２の間に、平行に並べた２本の内蔵電池１を収納している。ケーシング２の両側部分に位置する周壁２３は、内蔵電池１の表面に沿う湾曲面としている。ケーシング２の周壁２３は、両側に設けた側壁２３Ａと、その両端部に設けた端面壁２３Ｂとからなる。図のケーシング２は、側壁２３Ａを円筒形電池１Ａの表面に沿って湾曲する形状として、端面壁２３Ｂを平面状としている。上ケース２Ａと下ケース２Ｂは、側壁２３Ａと端面壁２３Ｂとからなる周壁２３を一体的に成形して設けた形状に、プラスチックを成形して製作している。
【００５６】
上ケース２Ａと下ケース２Ｂは、互いに周壁２３の開口端を連結して、内部を閉鎖する構造に連結している。図のケーシング２は、上ケース２Ａと下ケース２Ｂを止ネジ１３で連結して固定している。止ネジ１３をねじ込んで連結するために、下ケース２Ｂは、底プレート２２の内面に突出して、止ネジ１３を挿通する挿入ボス２２ａを一体的に成形して設けて、上ケース２Ａは、上面プレート２１の内面に突出するように、止ネジ１３をねじこむ連結ボス２１ａを一体的に成形して設けている。止ネジ１３は、下ケース２Ｂの外側面に設けた挿入凹部２２ｂから挿入ボス２２ａに挿入されて、下ケース２Ｂを貫通し、連結ボス２１ａにねじ込まれて、上ケース２Ａと下ケース２Ｂを連結する。互いに連結される上ケース２Ａと下ケース２Ｂの周壁２３は、開口端を超音波溶着し、あるいは接着し、あるいは係止構造として確実に連結できる。さらに、下ケース２Ｂの表面には、ラベル１４を付着して止ネジ１３を挿入する挿入凹部２２ｂを外側から見えなくしている。
【００５７】
さらに、図１０の下ケース２Ｂは、底プレート２２に配置する受電コイル５を定位置に配置できるように、底プレート２２の内面に、受電コイル５を収納できる円形凹部２２ｄを設ける共に、この円形凹部２２ｄの中心に位置して、受電コイル５の中心孔に挿通する位置決めボス２２ｃを一体成形して設けている。図に示す位置決めボス２２ｃは円筒状で、受電コイル５とシールドプレート６の中心孔を嵌入して、これらを定位置に配置している。
【００５８】
ケーシング２は、一方の端面壁２３Ｂに、２組のＵＳＢコネクタ８Ａを２段積みにして外部に表出させる２個のコネクタ窓２８を開口して、他方の端面壁２３Ｂには、ひとつのミニ又はマイクロＵＳＢコネクタ１８Ａのコネクタ窓２８を開口している。さらに、上ケース２Ａは、押しボタンスイッチ１６を操作する操作部１２を外部に表出するためのスイッチ窓２１ｃを上面プレート２１に開口している。
【００５９】
（絶縁ホルダー）
絶縁ホルダー３は、回路基板４を、一対の円筒形電池１Ａの間隔が広くなる外側部に配置して、出力コネクタ８と入力コネクタ１８を円筒形電池１Ａの間の放熱スペース２６に配置している。絶縁ホルダー３は、図７ないし図９に示すように、回路基板４を、２本の円筒形電池１Ａの最高位置の接線位置よりも下方に位置して配置して、回路基板４よりも内側部に出力コネクタ８と入力コネクタ１８を配設している。絶縁ホルダー３は、絶縁材のプラスチックを成形して制作される。絶縁ホルダー３は、その長手方向をケーシング２の側壁２３Ａと平行な姿勢として、ケーシング２の中央部に配設される。絶縁ホルダー３は、ケーシング２の両端に設けている一対の端面壁２３Ｂの間に配設されて、ケーシング２の両端の端面壁２３Ｂで長手方向の位置ずれを阻止している。したがって、図６、及び図１０ないし図１３の絶縁ホルダー３は、長手方向の長さ、すなわちその全長を、対向する端面壁２３Ｂの内側間隔として、端面壁２３Ｂの間に配設している。
【００６０】
絶縁ホルダー３は、その内側の定位置に回路基板４を配置して、両側に一対の内蔵電池１を配置する。図７ないし図１１の絶縁ホルダー３は、両側の対向壁３１と、対向壁３１を連結する連結プレート３２とをプラスチックで一体的に成形している。両側の対向壁３１は、互いに平行に配設されて、その外側に配置される内蔵電池１の表面に沿う形状としている。連結プレート３２は、ケーシング２の底プレート２２の内側にあって、両側の対向壁３１をその片側で連結している。
【００６１】
対向壁３１は、底プレート２２側を平面部３１Ａとして、上面プレート２１側を湾曲部３１Ｂとして、平面部３１Ａの片側を連結プレート３２に連結している。すなわち、図７ないし図１１の対向壁３１は、片側を平面部３１Ａとして、その反対側を湾曲部３１Ｂとして、平面部３１Ａを連結プレート３２に連結している。湾曲部３１Ｂは、内蔵電池１の表面に沿って湾曲するので、上面プレート２１に向かって、その内幅が広くなる。内幅が広くなる湾曲部３１Ｂの上面プレート２１側に、回路基板４を連結している。この形状の絶縁ホルダー３は、対向壁３１を内蔵電池１に沿う形状として内蔵電池１を安定して定位置に配置しながら、湾曲部３１Ｂに回路基板４を配置することで、幅の広い、すなわち多数の電子部品を実装する回路基板４を配置できる。また、ここに配設される回路基板４は、上面プレート２１との対向面の反対側の面である内面に突出して、電子部品を配置できる。ここに配置される電子部品は、回路基板４と一対の対向壁３１の内側にできるスペースに有効に配置される。
【００６２】
回路基板４は、連結プレート３２と平行な姿勢で、一対の対向壁３１の内側に連結される。回路基板４を定位置に配置するために、一対の対向壁３１は、回路基板４の両側に位置して、回路基板４の表面よりも突出する一対の保持リブ３４を設けて、これらの保持リブ３４の対向する内側に段差部３５と係止フック３６とを設けている。係止フック３６は、絶縁ホルダー３に一体的に成形して設けている。段差部３５は、ここに回路基板４の両側を載せて定位置に配置する。
【００６３】
さらに、絶縁ホルダー３は、図８、図１１、及び図１３に示すように、対向壁３１の内側に配置している回路基板４にリード線１９Ｂを連結している温度センサ１９の温度検出部１９Ａを、絶縁ホルダー３の外側に配置している内蔵電池１に熱結合するために、リード線１９Ｂの引き出し穴３９を設けている。各々の温度センサ１９のリード線１９Ｂが引き出し穴３９に挿通されて、リード線１９Ｂの先端に設けている温度検出部１９Ａが内蔵電池１の表面の湾曲面に熱結合されている。２個の温度センサ１９が各々の内蔵電池１の表面に熱結合して配置されるので、絶縁ホルダー３は、各々の温度センサ１９のリード線１９Ｂを挿通する一対の引き出し穴３９を設けている。
【００６４】
引き出し穴３９は連結プレート３２の両側部であって対向壁３１とのコーナー部に設けている。引き出し穴３９に挿通される温度センサ１９のリード線１９Ｂは、可撓性があって変形できる。温度センサ１９のリード線１９Ｂは、回路基板４に垂直姿勢に固定されて、対向壁３１の平面部３１Ａの内面に沿って垂直方向に伸びて引き出し穴３９に挿通され、引き出し穴３９から絶縁ホルダー３の外部に引き出されて、内蔵電池１の表面に向かって外側に折曲されて温度検出部１９Ａを内蔵電池１の表面に接近させている。さらに、温度センサ１９の温度検出部１９Ａは、受電コイル５と円筒形電池１Ａとの間に配置されたクッション材７で押圧されて、内蔵電池１に熱結合状態に固定している。このため、引き出し穴３９から引き出されたリード線１９Ｂの先端の温度検出部１９Ａを確実に内蔵電池１の表面に接触させて熱結合できる。ただ、温度センサーの温度検出部は、必ずしもクッション材で内蔵電池の表面に押圧する必要はなく、温度センサの温度検出部を内蔵電池の表面に接近する状態で、温度検出部を熱伝導ペーストを介して内蔵電池の表面に熱結合することもできる。
【００６５】
さらに、絶縁ホルダー３は、ケーシング２の定位置に連結するために、ケーシング２と対向壁３１とを嵌合構造で連結している。嵌合構造は、ケーシング２の上面プレート２１に設けた嵌着凸部２１ｂと、絶縁ホルダー３の対向壁３１に設けた嵌着凹部３１ｂで構成し、嵌着凸部２１ｂを嵌着凹部３１ｂに案内して、絶縁ホルダー３をケーシング２の定位置に配置している。絶縁ホルダー３は、対向壁３１の湾曲部３１Ｂの端縁部であって、上面プレート２１に接触する面に嵌着凹部３１ｂを設けている。図７ないし図９に示す絶縁ホルダー３は、湾曲部３１Ｂの端縁部であって、対向する保持リブ３４の外側に長手方向に伸びる溝形の嵌着凹部３１ｂを設けている。この嵌着凹部３１ｂに挿通される嵌着凸部２１ｂは、上面プレート２１の内面に突出して設けている。溝形の嵌着凹部３１ｂに案内するために、嵌着凸部２１ｂは細長い凸条としている。
【００６６】
さらに、絶縁ホルダー３をケーシング２の定位置に配置するために、絶縁ホルダー３には位置決め穴３２ａを設けている。位置決め穴３２ａは、絶縁ホルダー３の連結プレート３２に設けている。さらに、連結プレート３２は、内面に突出するようにガイドボス３２ｂを一体的に成形して設けて、このガイドボス３２ｂの中心に位置決め穴３２ａを設けている。位置決め穴３２ａは、絶縁ホルダー３をケーシング２の定位置に配置して、ケーシング２の挿入ボス２２ａが挿通される位置に設けている。ガイドボス３２ｂの中心に設けている位置決め穴３２ａに、ケーシング２の挿入ボス２２ａが挿通されて、絶縁ホルダー３はケーシング２の定位置に配置される。したがって、位置決め穴３２ａの内形は、挿入ボス２２ａの外径にほぼ等しく、挿入ボス２２ａが位置決め穴３２ａに挿通されて、絶縁ホルダー３をケーシング２の定位置に配置できる構造としている。
【００６７】
さらに、バッテリパック１０は、図６と図７に示すように、上プレート２１のスイッチ窓２１ｃから、押しボタンスイッチ１６を操作する操作部１２を表出させている。操作部１２は、回路基板４に固定している押しボタンスイッチ１６を押してオンオフに切り変える。押しボタンスイッチ１６は、図１４に示すように、回路基板４に実装している内蔵電池１の残容量検出回路４９に表示信号を出力して、残容量を表示させる。残容量検出回路４９は、発光ダイオード１７の点灯色や点灯状態で内蔵電池１の残容量を表示する。残容量検出回路４９は、押しボタンスイッチ１６から表示信号が入力されると、一定の時間、発光ダイオード１７を点灯して残容量を表示する。
【００６８】
また、押しボタンスイッチ１６は、ＤＣ／ＤＣコンバータ５８を動作状態に切り換えることもできる。押しボタンスイッチ１６のオンオフ信号で残容量を表示し、またＤＣ／ＤＣコンバータ５８の動作状態を切り換えるバッテリパック１０は、押しボタンスイッチ１６を短く押すと残容量を表示し、押しボタンスイッチ１６を長く押すとＤＣ／ＤＣコンバータ５８を動作状態に切り換えることができる。ＤＣ／ＤＣコンバータ５８は、押しボタンスイッチ１６から入力されるオン信号が設定時間よりも長いことを判定して、動作状態に切り換えられる。このバッテリパック１０は、押しボタンスイッチ１６を長く押さない状態でＤＣ／ＤＣコンバータ５８を動作しない状態に保持できるので、出力コネクタ８に携帯電子機器１３０を接続しない状態で、電池の無駄な消費を防止できる。それは、ＤＣ／ＤＣコンバータ５８が動作状態にあると負荷に携帯電子機器１３０を接続しない状態で電力を消費するからである。
【００６９】
さらに、図の絶縁ホルダー３は、回路基板４に固定される押しボタンスイッチ１６の下方に位置して、回路基板４の下面を支持する支持ボス３２ｃを連結プレート３２に一体成形して設けている。この構造は、押しボタンスイッチ１６が固定された回路基板４の下方を支持ボス３２ｃで支持するので、操作部１２を軽く押して、押しボタンスイッチ１６を確実に操作できる。
【００７０】
さらに、図１０と図１２に示す回路基板４は、操作部１２との対向面に、可撓性がある遮光性の絶縁シート１５を配設している。この絶縁シート１５は、貫通孔を有し、この貫通孔から押しボタンスイッチ１６を表出させる状態で配設している。この絶縁シート１５には、たとえば、ポリエステル等のプラスチックシートが使用できる。この絶縁シート１５は、静電気の放電経路を長くして、静電気による放電を防止しながら、ケーシング２内で点灯する発光ダイオード１７の光がスイッチ窓２１ｃから外部に漏れるのを防止する。
【００７１】
（リード板）
一対の内蔵電池１は、図１０ないし図１３に示すように、正負の端面電極をリード板１１を介して回路基板４に連結している。図に示す一対の内蔵電池１は、一方の端面電極同士を第１のリード板１１Ａで接続すると共に、他方の端面電極同士を第２のリード板１１Ｂで接続している。すなわち、一対の内蔵電池１は、リード板１１で互いに並列に接続して回路基板４に接続している。ただ、一対の円筒形電池は、互いに直列に接続することもできる。
【００７２】
図のリード板１１は、端面電極に接続される接続部を、連結部で連結してなる形状としている。第１のリード板１１Ａは、上下２段のＵＳＢコネクタ８Ａが配設される端面に位置する端面電極を連結している。この第１のリード板１１Ａは、上下２段のＵＳＢコネクタ８Ａに接触しないように、連結部を底面側に折曲すると共に、ＵＳＢコネクタ８Ａの底面の周囲に沿うコ字状に折曲して、絶縁ホルダー３の連結プレート３２の下面に配置している。さらに、第１のリード板１１Ａは、連結部に設けた接続片１１ａを、絶縁ホルダー３に設けたスリット孔３８に通過させて回路基板４に接続している。第２のリード板１１Ｂは、上下２段のＵＳＢコネクタ８Ａが配設される端面と反対側の端面に位置する端面電極を連結している。この第２のリード板１１Ｂは、ミニ又はマイクロＵＳＢコネクタ１８Ａに接触しないように、連結部を絶縁ホルダー３の端面の下部に配置している。さらに、第２のリード板１１Ｂは、連結部に設けた接続片１１ａを絶縁ホルダー３の連結プレート３２の下面に配置し、さらに、この接続片１１ａを折曲して絶縁ホルダー３に設けたスリット孔３８に通過させて回路基板４に接続している。
【００７３】
（出力コネクタ、入力コネクタ）
出力コネクタ８と入力コネクタ１８は、回路基板４に固定されて、内蔵電池１の間に設けている放熱スペース２６に配置される。図６、図９、及び図１０ないし図１３は、出力コネクタ８であるＵＳＢコネクタ８Ａと入力コネクタ１８であるミニ又はマイクロＵＳＢコネクタ１８Ａとを定位置に配置する状態を示している。これ等の図に示す回路基板４は、一端部には標準ＵＳＢコネクタである出力コネクタ８を、他端部にはミニ又はマイクロＵＳＢコネクタ１８Ａである入力コネクタ１８を固定している。出力コネクタ８と入力コネクタ１８は、回路基板４にハンダ付けして固定される。出力コネクタ８と入力コネクタ１８は、複数の接続ピンを回路基板４に挿入して物理的に連結し、この状態で接続ピンを回路基板４の導電部にハンダ付けして回路基板４に固定し、また電気接続される。以上の回路基板４は、標準ＵＳＢコネクタであるＵＳＢコネクタ８Ａを２段に連結して回路基板４の一端部に固定して、他端部にはミニ又はマイクロＵＳＢコネクタ１８Ａをハンダ付けして固定している。出力コネクタ８と入力コネクタ１８は、回路基板４の両端部にあって、ケーシング２のコネクタ窓２８を貫通するＵＳＢプラグが挿入される。回路基板４に固定されるＵＳＢコネクタ８Ａは、２段に連結されて、絶縁ホルダー３に設けている嵌着凹部３７に案内され、絶縁ホルダー３で定位置に保持される。絶縁ホルダー３は、標準ＵＳＢコネクタであるＵＳＢコネクタ８Ａを案内する嵌着凹部３７を設けて、ここにＵＳＢコネクタ８Ａを配置している。
【００７４】
以上の実施例のバッテリパック１０は、一対の円筒形電池１Ａをケーシング２に内蔵している。ただ、本発明のバッテリパックは、１本の円筒形電池をケーシングに内蔵することもできる。以下、１本の円筒形電池を内蔵するバッテリパックの実施例を詳述する。なお、以下に示す実施例において、前述の実施例と同じ構成要素については、同符号を付してその詳細な説明は省略する。
【００７５】
［実施例２］
図１５ないし図２２に示すバッテリパック６０は、ケーシング６２の収納スペース８５に１本の内蔵電池１を配置している。ケーシング６２に内蔵する１本の内蔵電池１は円筒形電池１Ａで、この円筒形電池１Ａを収納スペース８５に、底プレート８２と平行な姿勢であって片側の側壁８３Ａの内側に配置している。このバッテリパック６０は、収納スペース８５の片側に１本の内蔵電池１を配置して、内蔵電池１の側部に放熱スペース８６を設けている。
【００７６】
図１５ないし図２２に示すバッテリパック６０は、１本の円筒形電池１Ａと回路基板４と絶縁ホルダー６３とからなる電池組立６９をケーシング６２に内蔵している。さらに、このバッテリパック６０は、ケーシング６２に内蔵される円筒形電池１Ａとケーシング６２の側壁８３Ａとの間を所定の間隔離して、その間に放熱スペース８６ができるように絶縁材の絶縁ホルダー６３を配設して、この絶縁ホルダー６３でもって回路基板４と内蔵電池１と受電コイル５とを定位置に配置している。
【００７７】
（ケーシング）
ケーシング６２は、上面プレート８１と底プレート８２の周囲に周壁８３を設けた形状であって、その内部に電池組立６９を収納している。図１５ないし図２２のケーシング６２は、上ケース６２Ａと下ケース６２Ｂからなる。ケーシング６２は、その片側部分に１本の円筒形電池１Ａを収納し、反対側の片側部分に回路基板４と出力コネクタ８と入力コネクタ１８を収納している。ケーシング６２の周壁８３は、両側に設けた側壁８３Ａと、その両端部に設けた端面壁８３Ｂとからなる。ケーシング６２の両側部分に位置する側壁８３Ａは、円筒形電池１Ａを収納する片側を、円筒形電池１Ａの表面に沿って湾曲する湾曲壁８３ａとし、反対側の片側を垂直面である垂直壁８３ｂとしている。上ケース６２Ａと下ケース６２Ｂは、互いに周壁８３の開口端を連結して、内部を閉鎖する構造に連結している。
【００７８】
図のケーシング６２は、上ケース６２Ａと下ケース６２Ｂを止ネジ１３で連結して固定している。止ネジ１３をねじ込んで連結するために、下ケース６２Ｂは、底プレート８２の内面に突出して、止ネジ１３を挿通する挿入ボス８２ａを一体的に成形して設けて、上ケース６２Ａは、上面プレート８１の内面に突出するように、止ネジ１３をねじこむ連結ボス８１ａを一体的に成形して設けている。止ネジ１３は、下ケース６２Ｂの外側面に設けた挿入凹部８２ｂから挿入ボス８２ａに挿入されて、下ケース６２Ｂを貫通し、連結ボス８１ａにねじ込まれて、上ケース６２Ａと下ケース２６Ｂを連結する。さらに、下ケース６２Ｂの表面には、ラベル１４を付着している。
【００７９】
さらに、図１９の下ケース６２Ｂは、底プレート８２に配置する受電コイル５を定位置に配置できるように、底プレート８２の内面に、受電コイル５を収納できる円形凹部８２ｄを設ける共に、この円形凹部８２ｄの中心に位置して、受電コイル５の中心孔に挿通する位置決めボス８２ｃを一体成形して設けている。図に示す位置決めボス８２ｃは円筒状で、受電コイル５とシールドプレート６の中心孔を嵌入して、これらを定位置に配置している。さらに、図２０に示す下ケース６２Ｂは、下面の両側に、円形凹部８２ｄの外形の沿う形状に湾曲された円形突出部８２ｅを設けて、底プレート８２に配置する受電コイル５の外形を大きくできるようにしている。この円形突出部８２ｅは、内側に受電コイル５が配置されるので、バッテリパック６０を充電台１１０にセットする時の受電コイル５の位置を表示する目印ともなる。
【００８０】
ケーシング６２は、両端の端面壁８３Ｂに、出力コネクタ８であるＵＳＢコネクタ８Ａと入力コネクタ１８であるミニ又はマイクロＵＳＢコネクタ１８Ａを外部に表出させるコネクタ窓２８を開口している。ケーシング６２は、一方の端面壁８３Ｂに、出力コネクタ８である標準ＵＳＢコネクタを外部に表出させるコネクタ窓２８を開口し、他方の端面壁８３Ｂには、入力コネクタ１８であるミニ又はマイクロＵＳＢコネクタ１８Ａを外部に表出させるコネクタ窓２８を開口している。さらに、上ケース６２Ａは、押しボタンスイッチ１６の操作部１２を外部に表出するためのスイッチ窓８１ｃを上面プレート８１に開口している。
【００８１】
（絶縁ホルダー）
絶縁ホルダー６３は、ケーシング６２の片側であって、円筒形電池１Ａと側壁８３Ａの垂直壁８３ｂとの間に配置している。絶縁ホルダー６３は、内蔵電池１と垂直壁８３ｂの間隔が広くなる外側部に回路基板４を配設して、回路基板４よりも内側部の放熱スペース８６に出力コネクタ８と入力コネクタ１８を配設している。絶縁ホルダー６３は、図１７と図１８に示すように、回路基板４を、円筒形電池１Ａの最高位置の接線位置よりも下方に位置して配置して、回路基板４よりも内側部に出力コネクタ８と入力コネクタ１８を配設している。絶縁ホルダー６３は、絶縁材のプラスチックを成形して制作される。絶縁ホルダー６３は、その長手方向をケーシング６２の側壁８３Ａと平行な姿勢として、ケーシング６２の片側に配設される。絶縁ホルダー６３は、ケーシング６２の両端に設けている一対の端面壁８３Ｂの間に配設されて、ケーシング６２の両端の端面壁８３Ｂで長手方向の位置ずれを阻止している。したがって、図の絶縁ホルダー６３は、長手方向の長さ、すなわちその全長を、対向する端面壁８３Ｂの内側間隔として、端面壁８３Ｂの間に配設している。
【００８２】
絶縁ホルダー６３は、その内側の定位置に回路基板４を配置して、片側に内蔵電池１を配置する。図１７と図１８の絶縁ホルダー６３は、円筒形電池１Ａの対向面に沿う電池側の対向壁９１と、ケーシング６２の一方の側壁８３Ａである垂直壁８３ｂに沿う側壁８３Ａ側の対向壁９０と、電池側の対向壁９１と側壁８３Ａ側の対向壁９０を連結する連結プレート９２と、電池側の対向壁９１及び側壁８３Ａ側の対向壁９０と連結プレート９２の両端に設けている端面プレート９３とをプラスチックで一体的に成形している。電池側の対向壁９１と側壁８３Ａ側の対向壁９０は、互いに平行に配設されている。円筒形電池１Ａと対向する電池側の対向壁９１は、その外側に配置される円筒形電池１Ａの表面に沿う形状としている。ケーシング６２の垂直壁８３ｂと対向する側壁８３Ａ側の対向壁９０は、垂直壁８３ｂの内面に沿う形状としている。連結プレート９２は、ケーシング６２の底プレート８２の内側にあって、電池側の対向壁９１と側壁８３Ａ側の対向壁９０とをその片側で連結している。端面プレート９３は、電池側の対向壁９１と側壁８３Ａ側の対向壁９０と連結プレート９２の端部に連結するように設けられる。図の絶縁ホルダー６３は、一端に標準ＵＳＢコネクタであるＵＳＢコネクタ８Ａを、他端にミニ又はマイクロＵＳＢコネクタ１８Ａを配置しているので、両端の端面プレート９３に開口部を設けて、各々の開口部からＵＳＢコネクタ８Ａとミニ又はマイクロＵＳＢコネクタ１８Ａを表出させている。
【００８３】
電池側の対向壁９１は、底プレート８２側を平面部９１Ａとして、上面プレート８１側を湾曲部９１Ｂとして、平面部９１Ａの片側を連結プレート９２に連結している。すなわち、図１７と図１８に示す電池側の対向壁９１は、片側を平面部９１Ａとして、その反対側を湾曲部９１Ｂとして、平面部９１Ａを連結プレート９２に連結している。湾曲部９１Ｂは、内蔵電池１の表面に沿って湾曲するので、上面プレート８１に向かって、その内幅が広くなる。内幅が広くなる湾曲部９１Ｂの上面プレート８１側に、回路基板４を連結している。
【００８４】
側壁８３Ａ側の対向壁９０は、底プレート８２側から上面プレート８１側に向かって、側壁８３Ａである垂直壁８３ｂとの間隔を狭くする傾斜面として、底プレート８１側の片側を連結プレート９２に連結している。すなわち、図１７と図１８に示す側壁８３Ａ側の対向壁９０は、上面プレート８１に向かって、その内幅が広くなる傾斜面としている。傾斜面である側壁８３Ａ側の対向壁９０は、内幅が広くなる上面プレート８１側に、回路基板４を連結している。ただ、側壁８３Ａ側の対向壁９０は、必ずしも傾斜面とする必要はなく、垂直面とすることも湾曲面とすることもできる。
【００８５】
絶縁ホルダー６３は、電池側の対向壁９１と側壁８３Ａ側の対向壁９０の内側に、連結プレート９２と平行な姿勢で回路基板４を連結している。回路基板４を定位置に配置するために、電池側の対向壁９１と側壁８３Ａ側の対向壁９０は、図１７ないし図１９に示すように、回路基板４の両側に位置して、回路基板４の表面よりも突出する一対の保持リブ３４を設けて、これらの保持リブ３４の対向する内側に段差部３５と係止フック３６とを設けている。
【００８６】
（リード板）
さらに、内蔵電池１は、図１９ないし図２２に示すように、正負の端面電極を一対のリード板７１を介して回路基板４に連結している。一対のリード板７１は、端面電極に接続される接続部と、この接続部から引き出されて回路基板４に接続される接続片７１ａとを備える。これらのリード板７１は、絶縁ホルダー６３の両端に配置されて、接続部が内蔵電池１の端面電極に接続されると共に、接続片７１ａを、絶縁ホルダー６３に設けたスリット孔３８に通過させて回路基板４に接続している。
【００８７】
（出力コネクタ、入力コネクタ）
出力コネクタ８と入力コネクタ１８は、回路基板４に固定されて、内蔵電池１と垂直壁８３ｂの間に設けている放熱スペース８６に配置される。図１９と図２０は、出力コネクタ８であるＵＳＢコネクタ８Ａと入力コネクタ１８であるミニ又はマイクロＵＳＢコネクタ１８Ａとを定位置に配置する状態を示している。これ等の図に示す回路基板４は、一端部には標準ＵＳＢコネクタである出力コネクタ８を、他端部にはミニ又はマイクロＵＳＢコネクタ１８Ａである入力コネクタ１８を固定している。出力コネクタ８と入力コネクタ１８は、回路基板４の両端部にあって、ケーシング６２のコネクタ窓２８を貫通するＵＳＢプラグが挿入される。ＵＳＢコネクタ８Ａとミニ又はマイクロＵＳＢコネクタ１８Ａは、回路基板４にハンダ付けして固定される。ＵＳＢコネクタ８Ａとミニ又はマイクロＵＳＢコネクタ１８Ａは、複数の接続ピンを回路基板４に挿入して物理的に連結し、この状態で接続ピンを回路基板４の導電部にハンダ付けして回路基板４に固定し、また電気接続される。
【００８８】
さらに、図１８ないし図２２に示すＵＳＢコネクタ８Ａは、ＵＳＢプラグが挿入される長方形の挿入部の短辺側の一辺が、回路基板４の表面と対向する姿勢となるように回路基板４に固定している。すなわち、この回路基板４は、標準ＵＳＢコネクタであるＵＳＢコネクタ８Ａの長辺側の一辺が側壁８３Ａである垂直壁８３ｂと平行な姿勢となるように、ＵＳＢコネクタ８Ａを固定している。この構造は、図１８に示すように、内蔵電池１と側壁８３Ａである垂直壁８３ｂとの間にできる放熱スペース８６を狭くして、いいかえると全体の外形をよりコンパクトにしながら、標準ＵＳＢコネクタであるＵＳＢコネクタ８Ａを定位置に配置できる。回路基板４に固定されるＵＳＢコネクタ８Ａは、絶縁ホルダー６３に設けている嵌着凹部９７に案内され、絶縁ホルダー６３で定位置に保持される。絶縁ホルダー６３は、ＵＳＢコネクタ８Ａを案内する嵌着凹部９７を設けて、ここにＵＳＢコネクタ８Ａを配置している。
【符号の説明】
【００８９】
１…内蔵電池                １Ａ…円筒形電池
２…ケーシング              ２Ａ…上ケース
２Ｂ…下ケース
３…絶縁ホルダー
４…回路基板
５…受電コイル
６…シールドプレート
７…クッション材
８…出力コネクタ            ８Ａ…ＵＳＢコネクタ
９…電池組立
１０…バッテリパック
１１…リード板              １１Ａ…第１のリード板
１１Ｂ…第２のリード板
１１ａ…接続片
１２…操作部
１３…止ネジ
１４…ラベル
１５…絶縁シート
１６…押しボタンスイッチ
１７…発光ダイオード
１８…入力コネクタ          １８Ａ…ミニ又はマイクロＵＳＢコネクタ
１９…温度センサ            １９Ａ…温度検出部
１９Ｂ…リード線
２１…上面プレート          ２１ａ…連結ボス
２１ｂ…嵌着凸部
２１ｃ…スイッチ窓
２１ｄ…透光部
２２…底プレート            ２２ａ…挿入ボス
２２ｂ…挿入凹部
２２ｃ…位置決めボス
２２ｄ…円形凹部
２３…周壁                  ２３Ａ…側壁
２３Ｂ…端面壁
２５…収納スペース
２６…放熱スペース
２８…コネクタ窓
３１…対向壁                ３１Ａ…平面部
３１Ｂ…湾曲部
３１ｂ…嵌着凹部
３２…連結プレート          ３２ａ…位置決め穴
３２ｂ…ガイドボス 
３２ｃ…支持ボス
３４…保持リブ
３５…段差部
３６…係止フック
３７…嵌着凹部
３８…スリット孔
３９…引き出し穴
４０…制御回路
４１…充電台検出部
４２…外部電源検出部
４３…充電選択部
４４…スイッチ
４５…スイッチ
４６…放電スイッチ
４７…保護回路
４８…メモリ
４９…残容量検出回路
５０…充電回路
５１…整流回路
５２…平滑回路              ５２Ａ…平滑コンデンサー
５３…充電制御回路
５４…並列コンデンサー
５５…信号スイッチ
５６…直列コンデンサー
５７…サブ充電回路
５８…ＤＣ／ＤＣコンバータ
６０…バッテリパック
６２…ケーシング            ６２Ａ…上ケース
６２Ｂ…下ケース
６３…絶縁ホルダー
６９…電池組立
７１…リード板              ７１ａ…接続片
８１…上面プレート          ８１ａ…連結ボス
８１ｃ…スイッチ窓
８２…底プレート            ８２ａ…挿入ボス
８２ｂ…挿入凹部
８２ｃ…位置決めボス
８２ｄ…円形凹部
８２ｅ…円形突出部
８３…周壁                  ８３Ａ…側壁
８３ａ…湾曲壁
８３ｂ…垂直壁
８３Ｂ…端面壁
８５…収納スペース
８６…放熱スペース
９０…対向壁
９１…対向壁                ９１Ａ…平面部
９１Ｂ…湾曲部
９２…連結プレート
９３…端面プレート
９７…嵌着凹部
１０１…交流電源
１０２…ケーシング
１０５…送電コイル
１０６…載せプレート
１０７…図形
１０９…ＡＣアダプタ
１１０…充電台
１２０…外部電源
１３０…携帯電子機器
２００…バッテリパック
２０１…内蔵電池
２０２…ケーシング
２０５…受電コイル
２９０…充電台
【手続補正２】
【補正対象書類名】特許請求の範囲
【補正対象項目名】全文
【補正方法】変更
【補正の内容】
【特許請求の範囲】
【請求項１】
電磁誘導作用で電力を搬送して充電する送電コイルを有する充電台に載せられて、送電コイルから電力を受け取る受電コイルと、この受電コイルに誘導される電力で充電される内蔵電池と、この内蔵電池の出力を外部に出力する電源用の出力コネクタと、前記受電コイルに誘導される電力で内蔵電池を充電する充電回路を実装する回路基板と、この回路基板と前記受電コイルと前記内蔵電池とを内蔵するケーシングとを備える出力コネクタを備えるバッテリパックであって、
前記ケーシングは、充電台に載せられる平面状の底プレートと、この底プレートから離して対向する姿勢に配置している上面プレートと、底プレート及び上面プレート両側縁の側壁と両端縁の端面壁とからなる周壁を有し、底プレートと上面プレートと周壁とで閉鎖構造の収納スペースを内部に設けて、この収納スペースに前記内蔵電池と前記受電コイルと前記回路基板とを配置しており、
前記内蔵電池は円筒形電池で、この円筒形電池が前記収納スペースに、底プレートと平行な姿勢であって前記側壁の内側に配置され、
さらに前記受電コイルは平面コイルであって、前記底プレートの内面であって収納スペースの底部に配設され、
さらに、前記回路基板が、上面プレートの内面に前記受電コイルから離して配設されて、前記回路基板と前記受電コイルと内蔵電池とで囲まれる領域に放熱スペースを設けてなることを特徴とする出力コネクタを備えるバッテリパック。
【請求項２】
前記受電コイルと円筒形電池との間にクッション材を配置してなる請求項１に記載される出力コネクタを備えるバッテリパック。
【請求項３】
前記回路基板が、前記内蔵電池である円筒形電池の最高位置の接線位置よりも下方に配置されてなる請求項１又は２に記載される出力コネクタを備えるバッテリパック。
【請求項４】
平面コイルである前記受電コイルが、内蔵電池である円筒形電池の最低位置の接線位置よりも外側に配設されてなる請求項１ないし３のいずれかに記載される出力コネクタを備えるバッテリパック。
【請求項５】
前記ケーシングの収納スペースの両側に一対の内蔵電池を配置して、一対の内蔵電池の間に放熱スペースを設けてなる請求項１ないし４のいずれかに記載される出力コネクタを備えるバッテリパック。
【請求項６】
前記ケーシングの収納スペースの両側に一対の内蔵電池を配置して、一対の内蔵電池の最低位置となる頂部の間に前記受電コイルを配置している請求項１ないし５のいずれかに記載される出力コネクタを備えるバッテリパック。
【請求項７】
前記ケーシングの収納スペースの片側に１本の内蔵電池を配置して、内蔵電池の側部に放熱スペースを設けてなる請求項１ないし４のいずれかに記載される出力コネクタを備えるバッテリパック。
【請求項８】
前記回路基板の上面に押しボタンスイッチを固定しており、前記ケーシングの上面プレートは、押しボタンスイッチの上方に、押しボタンスイッチをオンオフに切り換える操作部を設けている請求項１ないし７のいずれかに記載される出力コネクタを備えるバッテリパック。
【手続補正３】
【補正対象書類名】図面
【補正対象項目名】図１７
【補正方法】変更
【補正の内容】
【図１７】
2012221854.tif 000025
【手続補正４】
【補正対象書類名】図面
【補正対象項目名】図１８
【補正方法】変更
【補正の内容】
【図１８】
2012221854.tif 000026